(57)【要約】【課題】どのように宇宙は膨張したか。宇宙の膨張と引力の関係はどのようであるか。【課題を解決するための手段】引力を3種類に分けて考える。１つは、1秒間にできる磁気の光子のエネルギーが引力になり、原子を集めている。２つは、1秒間にできる磁気の光子のエネルギー2÷電子のラブの公転軌道2、が引力になり原子を集めている。３つは、1秒間にできる磁気の光子のエネルギー2÷原子と原子の間の距離2、が引力になり原子を集めている。引力が原子を集めると考えたとき、ビッグバンの以前の大きさは大きくなる。このことは、引力が原子を集める場合は、宇宙の収縮の様子を示す。このことから、宇宙の収縮の必要条件は何か、宇宙のインフレーションで宇宙は何倍になったのか、が理解できる。【選択図】図1
2011101540.tif 000002
【特許請求の範囲】
【請求項１】
電子のラブが1秒間に作る磁気の光子のエネルギーを求める式と引力。
電子のラブの公転軌道＝8.665×10−24Jm÷電子のラブのエネルギー
電子のラブが1公転で作る磁気の光子のエネルギー＝1.233×10−41Jm÷電子のラブの公転軌道＝1.233×10−41Jm÷(8.665×10−24Jm÷電子のラブのエネルギー)＝1.423×10−18×電子のラブのエネルギー
電子のラブが1秒間に作る磁気の光子のエネルギー＝電子のラブが1公転で作る磁気の光子のエネルギー×1秒間の公転数＝1.233×10−41Jm÷(8.665×10−24Jm÷電子のラブのエネルギー)×(7.96×107)2＝1.423×10−18×電子のラブのエネルギー×(7.96×107)2＝9.016×10−3×電子のラブのエネルギー＝1.233×10−41Jm÷電子のラブの公転軌道×(7.96×107)2＝7.812×10−26Jm÷電子のラブの公転軌道
引力＝1秒間に作る磁気の光子のエネルギー
素粒子と素粒子の間の引力＝ラブが1秒間に作る磁気の光子のエネルギー2÷ラブの公転軌道2
原子と原子の間の引力＝電子のラブが1秒間に作る磁気の光子のエネルギー2÷電子のラブの公転軌道2
原子と原子の間の引力＝電子のラブが1秒間に作る磁気の光子のエネルギー2÷1原子と1原子の間の距離2
【請求項２】
宇宙の時代を電子のラブの公転軌道であらわし、その時代において、電子のラブが1秒間に作る磁気の光子のエネルギーを求める。
・ビッグバンの以前、電子のラブのエネルギーが8.556Jである場合。
1秒間に作る磁気の光子のエネルギー＝9.016×10−3×電子のラブのエネルギー＝9.016×10−3×8.556J=7.812×10−2J
・ビッグバンの以前、電子のラブのエネルギーが1Jである場合。
1秒間に作る磁気の光子のエネルギー＝9.016×10−3×電子のラブのエネルギー＝9.016×10−3×1J=9.016×10−3J
・10−20ｍの時代の宇宙の場合。
1秒間に作る磁気の光子のエネルギー＝7.812×10−26Jm÷電子のラブの公転軌道＝7.812×10−26Jm÷10−20ｍ＝7.812×10−6J
・10−19ｍの時代の宇宙の場合。
1秒間に作る磁気の光子のエネルギー＝7.812×10−26Jm÷電子のラブの公転軌道＝7.812×10−26Jm÷10−19ｍ＝7.812×10−7J
・10−18ｍの時代の宇宙の場合。
1秒間に作る磁気の光子のエネルギー＝7.812×10−26Jm÷電子のラブの公転軌道＝7.812×10−26Jm÷10−18ｍ＝7.812×10−8J
・10−17ｍの時代の宇宙の場合。
1秒間に作る磁気の光子のエネルギー＝7.812×10−26Jm÷電子のラブの公転軌道＝＝7.812×10−26Jm÷10−17ｍ＝7.812×10−9J
・10−16ｍの時代の宇宙の場合。
1秒間に作る磁気の光子のエネルギー＝7.812×10−26Jm÷電子のラブの公転軌道＝7.812×10−26Jm÷10−16ｍ＝7.812×10−10J
・10−15ｍの時代の宇宙の場合。
1秒間に作る磁気の光子のエネルギー＝7.812×10−26Jm÷電子のラブの公転軌道＝7.812×10−26Jm÷10−15ｍ＝7.812×10−11J
・10−14ｍの時代の宇宙の場合。
1秒間に作る磁気の光子のエネルギー＝7.812×10−26Jm÷電子のラブの公転軌道＝7.812×10−26Jm÷10−14ｍ＝7.812×10−12J
・10−13ｍの時代の宇宙の場合。
1秒間に作る磁気の光子のエネルギー＝7.812×10−26Jm÷電子のラブの公転軌道＝7.812×10−26Jm÷10−13ｍ＝7.812×10−13J
・10−12ｍの時代の宇宙の場合。
1秒間に作る磁気の光子のエネルギー＝7.812×10−26Jm÷電子のラブの公転軌道＝7.812×10−26Jm÷10−12ｍ＝7.812×10−14J
・10−11ｍの時代の宇宙の場合。
1秒間に作る磁気の光子のエネルギー＝7.812×10−26Jm÷電子のラブの公転軌道＝7.812×10−26Jm÷10−11ｍ＝7.812×10−15J
・10−10ｍの時代の宇宙の場合。
1秒間に作る磁気の光子のエネルギー＝7.812×10−26Jm÷電子のラブの公転軌道＝7.812×10−26Jm÷10−10ｍ＝7.812×10−16J
【請求項３】
1秒間にできる磁気の光子のエネルギーと、1m3に存在する原子数の関係式はどのようであるか。
2007年8月25日に提出した、特願2007−246139、次のように記した。
(10−16ｍの時代の宇宙には、１ｍ3に原子は1018個存在した。10−15ｍの時代の宇宙には、１ｍ3に原子は1015個存在した。10−14ｍの時代の宇宙には、１ｍ3に原子は1012個存在した。
10−16ｍの時代の宇宙は、1秒間に作る磁気の光子のエネルギーは7.812×10−10Jで、１ｍ3に原子は1018個存在した。
10−15ｍの時代の宇宙は、1秒間に作る磁気の光子のエネルギーは7.812×10−11Jで、１ｍ3に原子は1015個存在した。
10−14ｍの時代の宇宙は、1秒間に作る磁気の光子のエネルギーは7.812×10−12Jで、１ｍ3に原子は1012個存在した。)
・1秒間にできる磁気の光子のエネルギーと、1m3に存在する原子数の関係式はどのようであるか。
・10−16ｍの時代の宇宙の場合。
1秒間にできる磁気の光子のエネルギー3÷1m3の原子数＝(7.812×10−10J)3÷1018個＝4.767×10−28J÷1018個＝4.767×10−46J/個
・10−15ｍの時代の宇宙の場合。
1秒間にできる磁気の光子のエネルギー3÷1m3の原子数＝(7.812×10−11J)3÷1015個＝4.767×10−31J÷1015個＝4.767×10−46J/個
・10−14ｍの時代の宇宙の場合。
1秒間にできる磁気の光子のエネルギー3÷1m3の原子数＝(7.812×10−12J)3÷1012個＝4.767×10−34J÷1012個＝4.767×10−46J/個
よって、1秒間にできる磁気の光子のエネルギー3÷1m3の原子数＝4.767×10−46J/個
1m3の原子数＝1秒間にできる磁気の光子のエネルギー3÷(4.767×10−46J/個)
1秒間にできる磁気の光子のエネルギーと、1m3に存在する原子数の関係式は、
1m3の原子数＝1秒間にできる磁気の光子のエネルギー3÷(4.767×10−46J/個)
1秒間にできる磁気の光子のエネルギー3＝1m3の原子数×4.767×10−46J/個、です。
【請求項４】
1秒間にできる磁気の光子のエネルギーと、1mに存在する原子数の関係式はどのようであるか。
1m3の原子数＝1秒間にできる磁気の光子のエネルギー3÷(4.767×10−46J/個)、
1mの原子数＝1秒間にできる磁気の光子のエネルギー÷(4.767×10−46J/個)1/3=1秒間にできる磁気の光子のエネルギー÷(476.7×10−48J/個)1/3=1秒間にできる磁気の光子のエネルギー÷(7.812×10−16J/個)
1秒間にできる磁気の光子のエネルギーと、1mに存在する原子数の関係式は、
1mの原子数＝1秒間にできる磁気の光子のエネルギー÷(7.812×10−16J/個)、
1秒間にできる磁気の光子のエネルギー＝1mの原子数×7.812×10−16J/個、です。
このことにより理解できること。
1．1mの原子数＝1秒間にできる磁気の光子のエネルギー÷(7.812×10−16J/個
2．1秒間にできる磁気の光子が7.812×10−16Jで、1mに1個の原子を引きつけておくことができる。
3．地表で、電子のラブが1秒間に作る磁気の光子のエネルギー(7.382×10−16J)と同じくらいのエネルギーで１ｍに1個の原子を引き付けている。
4．10−10ｍの軌道の宇宙では、1mに1個の原子が存在し、1m3に1個の原子が存在する。ダークマターである自転する陽子のラブと電子のラブは1m3に1個存在する。
1mに存在する原子数はいくらか。
・10−20ｍの時代の宇宙の場合。
1mに存在する原子数＝1秒間にできる磁気の光子のエネルギー÷(7.812×10−16J/個)＝7.812×10−6J÷(7.812×10−16J/個)＝1010個
・10−19ｍの時代の宇宙の場合。
1mに存在する原子数＝1秒間にできる磁気の光子のエネルギー÷(7.812×10−16J/個)＝7.812×10−7J÷(7.812×10−16J/個)＝109個
・10−18ｍの時代の宇宙の場合。
1mに存在する原子数＝1秒間にできる磁気の光子のエネルギー÷(7.812×10−16J/個)＝7.812×10−8J÷(7.812×10−16J/個)＝108個
・10−17ｍの時代の宇宙の場合。
1mに存在する原子数＝1秒間にできる磁気の光子のエネルギー÷(7.812×10−16J/個)＝7.812×10−9J÷(7.812×10−16J/個)＝107個
・10−16ｍの時代の宇宙の場合。
1mに存在する原子数＝1秒間にできる磁気の光子のエネルギー÷(7.812×10−16J/個)＝7.812×10−10J÷(7.812×10−16J/個)＝106個
・10−15ｍの時代の宇宙の場合。
1mに存在する原子数＝1秒間にできる磁気の光子のエネルギー÷(7.812×10−16J/個)＝7.812×10−11J÷(7.812×10−16J/個)＝105個
・10−14ｍの時代の宇宙の場合。
1mに存在する原子数＝1秒間にできる磁気の光子のエネルギー÷(7.812×10−16J/個)＝7.812×10−12J÷(7.812×10−16J/個)＝104個
・10−13ｍの時代の宇宙の場合。
1mに存在する原子数＝1秒間にできる磁気の光子のエネルギー÷(7.812×10−16J/個)＝7.812×10−13J÷(7.812×10−16J/個)＝103個
・10−12ｍの時代の宇宙の場合。
1mに存在する原子数＝1秒間にできる磁気の光子のエネルギー÷(7.812×10−16J/個)＝7.812×10−14J÷(7.812×10−16J/個)＝102個
・10−11ｍの時代の宇宙の場合。
1mに存在する原子数＝1秒間にできる磁気の光子のエネルギー÷(7.812×10−16J/個)＝7.812×10−15J÷(7.812×10−16J/個)＝101個
・10−10ｍの時代の宇宙の場合。
1mに存在する原子数＝1秒間にできる磁気の光子のエネルギー÷(7.812×10−16J/個)＝7.812×10−16J÷(7.812×10−16J/個)＝1個
【請求項５】
1m3に存在する原子数(素粒子数)から算出して、宇宙の大きさの半径はいくらか。
・ビッグバンの以前、電子のラブのエネルギーが8.665Jの場合。
宇宙全体の原子数は、4.554×1084個です。この場の1m3の素粒子数は1042個です。
4.554×1084個は何m3に存在するか。
4.554×1084個÷1m3の原子数＝4.554×1084個÷1042個＝4.554×1042ｍ3
半径はいくらか。
4π/3r3＝4.554×1042ｍ3
ｒ3=4.554×1042ｍ3÷4π/3＝1.0877×1042ｍ3
r=(1.0877×1042ｍ3)1/3＝1.027×1014ｍ
しかし、ビッグバンの以前の後期の球体の半径は、1.121×104ｍです。(このことに関しては、2009年9月19日に提出した、特願2009−218192．「請求項16」に記した。)
・ビッグバンの以前、電子のラブのエネルギーが１Jの場合。
宇宙全体の原子数は、1.077×1079個です。この場の1m3の素粒子数は1.537×1039個です。
1.077×1079個は何m3に存在するか。
1.077×1079個÷1m3の原子数＝1.077×1079個÷(1.537×1039個)＝7.007×1039ｍ3
半径はいくらか。
4π/3r3＝7.007×1039ｍ3
ｒ3＝7.007×1039ｍ3÷4π/3＝1.674×1039m3
ｒ=(1.674×1039m3)1/3=1.185×1013ｍ
しかし、ビッグバンの以前の後期の球体の半径は、1.261×103ｍです。(このことに関しては、2009年9月19日に提出した、特願2009−218192．「請求項16」に記した。)
○ビッグバンの以前の、電子のラブのエネルギーが1Jである場合。宇宙の原子数を1.077×1079個とする。1.077×1079個の原子は何ｍ3に存在し、宇宙の半径はいくらか。
・10−20mの時代の宇宙の場合。
１ｍ3の原子数は1030個です。
体積＝1.077×1079個÷1030個＝1.077×1049m3
4π/3ｒ3＝1.077×1049ｍ3
ｒ3＝1.077×1049ｍ3÷4π/3＝0.2572×1049ｍ3＝2.572×1048ｍ3
ｒ＝(2.572×1048ｍ3)1/3=1.370×1016ｍ
・10−19mの時代の宇宙の場合。
１ｍ3の原子数は1027個です。
体積＝1.077×1079個÷1027個＝1.077×1052m3
4π/3ｒ3＝1.077×1052ｍ3
ｒ3＝1.077×1052ｍ3÷4π/3＝0.2572×1052ｍ3＝2.572×1051m3
ｒ＝(2.572×1051ｍ3)1/3=1.370×1017ｍ
・10−18mの時代の宇宙の場合。
１ｍ3の原子数は1024個です。
体積＝1.077×1079個÷1024個＝1.077×1055m3
4π/3ｒ3＝1.077×1055ｍ3
ｒ3＝1.077×1055ｍ3÷4π/3＝0.2572×1055ｍ3＝2.572×1054ｍ3
ｒ＝(2.572×1054ｍ3)1/3=1.370×1018ｍ
・これを一般式であらわす。
10amの時代の宇宙の場合。
1mの原子数＝1秒間にできる磁気の光子のエネルギー÷(7.812×10−16J/個)＝7.812×10−26Jm÷10a÷(7.812×10−16J/個)＝10−10−a
1m3の原子数＝(10−10−a)3＝10−30−3a
体積＝4π/3 r3＝宇宙の原子数÷1m3の原子数＝宇宙の原子数÷(10−10−a)3m3
r3=宇宙の原子数÷(10−10−a)3÷4π/3m3
ｒ＝(宇宙の原子数÷(10−10−a)3÷4π/3)1/3m=宇宙の原子数1/3÷(10−10−a)÷(4π/3)1/3m=宇宙の原子数1/3×1010＋a÷1.612m＝宇宙の原子数1/3×1010＋a×0.620m
r＝宇宙の原子数1/3×1010＋a×0.620m、です。
よって、宇宙の原子数が1.077×1079個の場合、
ｒ＝宇宙の原子数1/3×1010＋a×0.620m＝(1.077×1079個)1/3×1010＋a×0.620m＝(10.77×1078)1/3×1010＋a×0.620m＝2.209×1026×1010＋a×0.620m＝×0.620＝1.370×1036＋am
ｒ＝1.370×1036+am、です。
・10−17mの時代の宇宙の場合。
ｒ＝1.370×1019ｍ
・10−16mの時代の宇宙の場合。
ｒ＝1.370×1020ｍ
・10−15mの時代の宇宙の場合。
ｒ＝1.370×1021ｍ
・10−14mの時代の宇宙の場合。
r＝1.370×1022ｍ
・10−13mの時代の宇宙の場合。
r＝1.370×1023ｍ
・10−12mの時代の宇宙の場合。
ｒ＝1.370×1024ｍ
・10−11mの時代の宇宙の場合。
ｒ＝1.370×1025ｍ
・10−10mの時代の宇宙の場合。
ｒ＝1.370×1026ｍ
○ビッグバンの以前の、電子のラブのエネルギーが8.665Jである場合。宇宙の原子数を4.554×1084個とする。4.554×1084個の原子は何ｍ3に存在し、宇宙の半径はいくらか。
・10−20mの時代の宇宙の場合。
１ｍ3の原子数は1030個です。
4.554×1084個÷1030個＝4.554×1054m3
4π/3ｒ3＝4.554×1054ｍ3
ｒ3＝4.554×1054ｍ3÷4π/3＝1.088×1054ｍ3
ｒ＝(1.088×1054ｍ3)1/3=1.029×1018ｍ
・10−19mの時代の宇宙の場合。
１ｍ3の原子数は1027個です。
4.554×1084個÷1027個＝4.554×1057m3
4π/3ｒ3＝4.554×1057ｍ3
ｒ3＝4.554×1057ｍ3÷4π/3＝1.088×1057ｍ3
ｒ＝(1.088×1057ｍ3)1/3=1.029×1019ｍ
一般式は、
宇宙の原子数が4.554×1084個の場合、
ｒ＝宇宙の原子数1/3×1010＋a×0.620m＝(4.554×1084個) 1/3×1010＋a×0.620m＝1.659×1028×1010＋a×0.620m＝1.029×1038+am
ｒ＝1.029×1038+am、です。
・10−18ｍの時代の宇宙の場合。
ｒ＝1.029×1020ｍ
・10−17ｍの時代の宇宙の場合。
ｒ＝1.029×1021ｍ
・10−16ｍの時代の宇宙の場合。
ｒ＝1.029×1022ｍ
・10−15ｍの時代の宇宙の場合。
ｒ＝1.029×1023ｍ
・10−14ｍの時代の宇宙の場合。
ｒ＝1.029×1024ｍ
・10−13ｍの時代の宇宙の場合。
ｒ＝1.029×1025ｍ
・10−12ｍの時代の宇宙の場合。
ｒ＝1.029×1026ｍ
・10−11ｍの時代の宇宙の場合。
ｒ＝1.029×1027ｍ
・10−10ｍの時代の宇宙の場合。
ｒ＝1.029×1028ｍ
・ビッグバンの以前の電子のラブのエネルギーが、αJの場合、宇宙の原子の数は、1.0765×1079×α6個、ですから、
ｒ＝(1.0765×1079×α6個)1/3×1010＋a×0.620m＝(10.765×1078×α6個) 1/3×1010＋a×0.620m＝2.208×1026×α2個×1010＋a×0.620m＝1.369×1036＋a×α2ｍ、です。
このことを表に示す。
表4
2011101540.tif 000006
【請求項６】
1原子と1原子の間にできる引力はいくらか。1素粒子(電子のラブ)と1素粒子(電子のラブ)の間にできる引力はいくらか。(原子と原子の間の距離を電子のラブの公転軌道とする場合)
1原子と1原子の間にできる引力＝1原子が1秒間に作る磁気の光子のエネルギー2÷1原子の大きさ2＝電子のラブが1秒間に作る磁気の光子のエネルギー2÷電子のラブの公転軌道2
1素粒子(電子のラブ)と1素粒子(電子のラブ)の間にできる引力＝電子のラブが1秒間に作る磁気の光子のエネルギー2÷電子のラブの公転軌道2
・ビッグバンの以前、電子のラブのエネルギーが、8.665Jであった場合。
1素粒子(電子のラブ)と1素粒子(電子のラブ)の間にできる引力＝電子のラブが1秒間に作る磁気の光子のエネルギー2÷電子のラブの公転軌道2＝(7.812×10−2J)2÷(10−24ｍ)2=6.103×1045J/m
・ビッグバンの以前、電子のラブのエネルギーが、1Jであった場合。
1素粒子(電子のラブ)と1素粒子(電子のラブ)の間にできる引力＝電子のラブが1秒間に作る磁気の光子のエネルギー2÷電子のラブの公転軌道2＝(9.016×10−3J)2÷(8.665×10−24ｍ)2=1.0826×1042J/m
・10−20ｍの時代の宇宙の場合。
1原子と1原子の間にできる引力＝1原子が1秒間に作る磁気の光子のエネルギー2÷1原子の大きさ2＝(7.812×10−6J)2÷(10−20ｍ)2＝6.103×1029J/m
・10−19ｍの時代の宇宙の場合。
1原子と1原子の間にできる引力＝(7.812×10−7J)2÷(10−19ｍ)2＝6.103×1025J/m
・10−18ｍの時代の宇宙の場合。
1原子と1原子の間にできる引力＝(7.812×10−8J)2÷(10−18ｍ)2＝6.103×1021J/m
・10−17ｍの時代の宇宙の場合。
1原子と1原子の間にできる引力＝(7.812×10−9J)2÷(10−17ｍ)2＝6.103×1017J/m
・10−16ｍの時代の宇宙の場合。
1原子と1原子の間にできる引力＝(7.812×10−10J)2÷(10−16ｍ)2＝6.103×1013J/m
・10−15ｍの時代の宇宙の場合。
1原子と1原子の間にできる引力＝(7.812×10−11J)2÷(10−15ｍ)2＝6.103×109J/m
・10−14ｍの時代の宇宙の場合。
1原子と1原子の間にできる引力＝(7.812×10−12J)2÷(10−14ｍ)2＝6.103×105J/m
・10−13ｍの時代の宇宙の場合。
1原子と1原子の間にできる引力＝(7.812×10−13J)2÷(10−13ｍ)2＝6.103×10J/m
・10−12ｍの時代の宇宙の場合。
1原子と1原子の間にできる引力＝(7.812×10−14J)2÷(10−12ｍ)2＝6.103×10−3J/m
・10−11ｍの時代の宇宙の場合。
1原子と1原子の間にできる引力＝(7.812×10−15J)2÷(10−11ｍ)2＝6.103×10−7J/m
・10−10ｍの時代の宇宙の場合。
1原子と1原子の間にできる引力＝(7.812×10−16J)2÷(10−10ｍ)2＝6.103×10−11J/m
一般式は、
10amの時代の宇宙の場合。
1原子と1原子の間にできる引力＝(7.812×10−26−a)2J÷10a×2m＝61.027×10−52−2a−2aJ/m=6.103×10−51−4aJ/m
このことにより理解できること。
1．1原子と1原子の間にできる引力は、6.103×10−51−4aJ/mです。
2．時代を経るごとに、1原子と1原子の間にできる引力は10−4倍ずつ減少している。
【請求項７】
引力と、1m3に存在する原子数の関係式はどのようであるか。(1原子と1原子の距離を電子のラブの公転軌道とする場合。)
2007年8月25日に提出した、特願2007−246139、次のように記した。
(10−16ｍの時代の宇宙には、１ｍ3に原子は1018個存在した。10−15ｍの時代の宇宙には、１ｍ3に原子は1015個存在した。10−14ｍの時代の宇宙には、１ｍ3に原子は1012個存在した。)
・引力と、1m3の原子数の関係式はどのようであるか。
・10−16ｍの時代の宇宙の場合。
引力は、6.103×1013J/mです。
1m3の原子数4÷引力3＝(1018個)4÷(6.103×1013J/m)3＝1072個÷(227.32×1039J/m)＝4.4×1030個/J/m
・10−15ｍの時代の宇宙の場合。
引力は、6.103×109J/mです。
1m3の原子数4÷引力3＝(1015個)4÷(6.103×109J/m)3＝1060個÷(227.32×1027J/m)＝4.4×1030個/J/m
・10−14ｍの時代の宇宙の場合。
引力は、6.103×105J/mです。
1m3の原子数4÷引力3＝(1012個)4÷(6.103×105J/m)3＝1048個÷(227.32×1015J/m)＝4.4×1030個/J/m
・引力と、1m3の原子数の関係式は次のようです。
1m3の原子数4÷引力3＝4.4×1030個/J/m
1m3の原子数4＝4.4×1030個/J/m×引力3
1m3の原子数＝(4.4×1030個/J/m×引力3)1/4
引力3=1m3の原子数4÷(4.4×1030個/J/m)
引力={1m3の原子数4÷(4.4×1030個/J/m)}1/3
・1m3の原子数4＝4.4×1030個/J/m×引力3、1m3の原子数＝(4.4×1030個/J/m×引力3)1/4
の式が成立することを、確かめる。
・10−20ｍの場合。
1m3の原子数4＝4.4×1030個/J/m×引力3
(1030個)4＝4.4×1030個/J/m×(6.103×1029J/m)3＝4.4×1030個×227.32×1087＝10120個
1m3の原子数＝(4.4×1030個/J/m×引力3)1/4
1030個＝｛4.4×1030個/J/m×(6.103×1029J/m)3｝1/4＝(4.4×1030個/J/m×227.32×1087J/m)1/4=1030個
.・10−19ｍの場合。
1m3の原子数4＝4.4×1030個/J/m×引力3
(1027個)4＝4.4×1030個/J/m×(6.103×1025J/m)3＝4.4×1030個/J/m×227.32×1075＝10108個
1m3の原子数＝(4.4×1030個/J/m×引力3)1/4
1027個＝｛4.4×1030個/J/m×(6.103×1025J/m)3｝1/4＝(4.4×1030個/J/m×227.32×1075)1/4=1027個
・10−18mの場合。
(1024個)4＝4.4×1030個/J/m×(6.103×1021J/m)3＝4.4×1030個/J/m×227.32×1063＝1096個
1m3の原子数＝(4.4×1030個/J/m×引力3)1/4
1024個＝｛4.4×1030個/J/m×(6.103×1021J/m)3｝1/4＝(4.4×1030個/J/m×227.32×1063)1/4=1024個
この計算によって、1m3の原子数4＝4.4×1030個/J/m×引力3、1m3の原子数＝(4.4×1030個/J/m×引力3)1/4
の式は成立する。
また、引力3=1m3の原子数4÷(4.4×1030個/J/m)、引力={1m3の原子数4÷(4.4×1030個/J/m)}1/3、の式も成立する。
【請求項８】
1m3の原子数は、1原子と1原子の間の引力の何倍か。(原子と原子の間の距離を電子のラブの公転軌道とする場合。)
10amの時代の宇宙の場合。
1原子と1原子の間の引力は、6.103×10−51−4a、です。
1m3の原子数は、
1秒間にできる磁気の光子のエネルギー3÷(4.767×10−46J)＝(7.812×10−26Jm÷公転軌道) 3÷(4.767×10−46J)＝100×10−78＋46÷公転軌道3＝10−30÷公転軌道3＝10−30÷103a=10−30−3a
1m3の原子数は、10−30−3a、です。
・1m3の原子数は、1原子と1原子の間の引力の何倍か。
1m3の原子数÷1原子と1原子の間の引力＝10−30−3a÷(6.103×10−51−4a)＝0.1639×10−30−3a＋51＋4a＝1.639×1020＋a
1m3の原子数＝1原子と1原子の間の引力×1.639×1020＋a
1m3の原子数は、1原子と1原子の間の引力の1.639×1020＋a倍です。
確かめ算。
10−16ｍの時代の宇宙の場合。
1原子と1原子の間の引力は、6.103×1013J/mです。
1m3の原子数は、1.639×1020−16×6.103×1013＝1018(個)
・宇宙の時代を電子のラブの公転軌道で示すと、その時代の1m3の原子数は、1原子と1原子の間の引力の何倍になるか。
10−20mの時代の宇宙の場合。
1m3の原子数＝1原子と1原子の間の引力の1.639×1020＋a倍＝1原子と1原子の間の引力の1.639×1020−20倍＝1原子と1原子の間の引力の1.639倍
10−19mの時代の宇宙の場合。
1m3の原子数＝1原子と1原子の間の引力の1.639×1020−19倍＝1原子と1原子の間の引力の1.639×10倍
10−18mの時代の宇宙の場合。
1m3の原子数＝1原子と1原子の間の引力の1.639×1020−18倍＝1原子と1原子の間の引力の1.639×102倍
10−17mの時代の宇宙の場合。
1m3の原子数＝1原子と1原子の間の引力の1.639×1020−17倍＝1原子と1原子の間の引力の1.639×103倍
10−16mの時代の宇宙の場合。
1m3の原子数＝1原子と1原子の間の引力の1.639×1020−16倍＝1原子と1原子の間の引力の1.639×104倍
10−15mの時代の宇宙の場合。
1m3の原子数＝1原子と1原子の間の引力の1.639×1020−18倍＝1原子と1原子の間の引力の1.639×105倍
10−14mの時代の宇宙の場合。
1m3の原子数＝1原子と1原子の間の引力の1.639×1020−14倍＝1原子と1原子の間の引力の1.639×106倍
10−13mの時代の宇宙の場合。
1m3の原子数＝1原子と1原子の間の引力の1.639×1020−13倍＝1原子と1原子の間の引力の1.639×107倍
10−12mの時代の宇宙の場合。
1m3の原子数＝1原子と1原子の間の引力の1.639×1020−12倍＝1原子と1原子の間の引力の1.639×108倍
10−11mの時代の宇宙の場合。
1m3の原子数＝1原子と1原子の間の引力の1.639×1020−11倍＝1原子と1原子の間の引力の1.639×109倍
10−10mの時代の宇宙の場合。
1m3の原子数＝1原子と1原子の間の引力の1.639×1020−10倍＝1原子と1原子の間の引力の1.639×1010倍
このことによって理解できること。
1．10amの時代の宇宙の場合。1m3の原子数は、1原子と1原子の間の引力の1.639×1020＋a倍です。
2．1m3の原子数は、1原子と1原子の間の引力に比例する。
3．時代を経るごとに、1m3の原子数は、1原子と1原子の間の引力の10倍ずつ増加している。
【請求項９】
1m3の原子数4＝4.4×1030個/J/m×引力3。1m3の原子数＝(4.4×1030個/J/m×引力3)1/4、の式と、1m3の原子数＝1原子と1原子の間の引力の1.639×1020＋a倍。は同じことを意味する。(原子と原子の間の距離を電子のラブの公転軌道とする場合。)
「請求項7」で、1m3の原子数4＝4.4×1030個/J/m×引力3。1m3の原子数＝(4.4×1030個/J/m×引力3)1/4、の式が成立することを確かめた。
また、「請求項8」で、1m3の原子数＝1原子と1原子の間の引力の1.639×1020＋a倍であることを確かめた。
よって、
1m3の原子数4＝4.4×1030個/J/m×引力3、
1m3の原子数＝(4.4×1030個/J/m×引力3)1/4
の式と、
1m3の原子数＝1原子と1原子の間の引力の1.639×1020＋a倍＝引力×1.639×1020＋a、
の式は同じことを意味する。
このことにより、
引力3=1m3の原子数4÷(4.4×1030個/J/m)
引力={1m3の原子数4÷(4.4×1030個/J/m)}1/3
の式と
引力＝1m3の原子数÷(1.639×1020＋a)
の式は同じことを意味する。
【請求項１０】
1m3の原子数＝1原子と1原子の間の引力×1.639×1020＋a＝6.103×10−51−4aJ/m×1.639×1020＋a、です。このことは何を意味するか。(原子と原子の間の距離を電子のラブの公転軌道とする場合。)
1原子と1原子の間の引力は時代を経るごとに10−4倍になり、1.639×1020＋aの値は時代を経るごとに10倍になるので、1m3の原子数は時代を経るごとに10−3倍になる。
まとめて表に示す。
原子と原子の間の距離を電子のラブの公転軌道であるとして計算した場合。
表5
2011101540.tif 000007
【請求項１１】
1個の原子または素粒子が存在する長さはいくらか。原子と原子の間の距離はいくらか。原子(素粒子)が存在する長さは、原子(素粒子)の大きさの何倍か。原子(素粒子)が存在する大きさは、原子(素粒子)の大きさの何倍か。(宇宙の原子はどのように存在しているかを知る。原子と原子の間の距離はいくらか。)
10−16mの時代の宇宙の場合。
・1個の原子または素粒子が存在する長さはいくらか。
1m3に1018個の原子(素粒子)が存在するので、1mに106個の原子(素粒子)が存在する。
1個の原子(素粒子)は、1m÷106個＝10−6ｍ、に存在する。
1個の原子(素粒子)が存在する長さは10−6ｍです。
1原子と1原子の間の距離は10−6ｍです。
・原子(素粒子)が存在する長さは、原子(素粒子)の大きさの何倍か。
10−6ｍ÷10−16ｍ＝1010(倍)
原子(素粒子)が存在する長さは、原子(素粒子)の大きさの1010倍です。
・原子(素粒子)が存在する大きさは、原子(素粒子)の大きさの何倍か。
大きさは、(1010)3で、1030倍です。
原子(素粒子)が存在する大きさは、原子(素粒子)の大きさの1030倍です。
10−15mの時代の宇宙の場合。
1m3に1015個の原子(素粒子)が存在するので、1mには、105個の原子(素粒子)が存在する。
1個の原子(素粒子)は、1m÷105個＝10−5ｍ、に存在する。
1個の原子(素粒子)が存在する長さは10−5ｍです。
1原子と1原子の間の距離は10−5ｍです。
原子(素粒子)が存在する長さは、原子(素粒子)の大きさの、10−5ｍ÷10−15ｍ＝1010、倍です。
大きさは、(1010)3で、1030倍です。
10−14mの時代の宇宙の場合。
1m3に1012個の原子(素粒子)が存在するので、1mには、104個の原子(素粒子)が存在する。1個の原子(素粒子)は、1m÷104個＝10−4ｍ、に存在する。
1個の原子(素粒子)が存在する長さは10−4ｍです。
1原子と1原子の距離は10−4ｍです。
1原子(素粒子)が存在する長さは、原子(素粒子)の大きさの、10−4ｍ÷10−14ｍ＝1010、倍です。
大きさは、(1010)3で、1030倍です。
・これを一般式で示す。
10amの時代の宇宙の場合。
1秒間にできるエネルギー＝7.812×10−26Jm÷電子のラブの公転軌道＝7.812×10−26Jm÷10am
1mの原子数＝1秒間にできる磁気の光子のエネルギー÷(7.812×10−16J/個)
1mの原子数＝7.812×10−26Jm÷10am÷(7.812×10−16J/個)＝10−10−a個
1mの原子数は、10−10−a個。
1個の原子(素粒子)は、1m÷(10−10−a個)＝1010＋aｍに存在す
原子(素粒子)が存在する長さは、1010＋amです。
1原子と1原子の間の距離は、1010＋amです。
1原子(素粒子)が存在する長さは、原子(素粒子)の大きさの1010＋a÷10a＝1010倍です。
大きさは、(1010)3＝1030倍です。
・宇宙の時代を電子のラブの公転軌道で表した場合、原子と原子の間の距離はいくらか。
1原子と1原子の距離は、1010＋amです。
・ビッグバンの以前、電子のラブのエネルギーが8.665Jで、公転軌道が10−24mの場合。
1原子と1原子の間の距離=1010＋am＝1010−24ｍ＝10−14ｍ
・ビッグバンの以前、電子のラブのエネルギーが1Jで、公転軌道が8.665×10−24mの場合。
1原子と1原子の間の距離は=8.665×1010＋am＝8.665×1010−24ｍ＝8.665×10−14ｍ
・10−20mの時代の宇宙の場合。
1原子と1原子の間の距離=1010＋am＝1010−20ｍ＝10−10ｍ
・10−19mの時代の宇宙の場合。
1原子と1原子の間の距離=1010＋am＝1010−19ｍ＝10−9ｍ
・10−18mの時代の宇宙の場合。
1原子と1原子の間の距離=1010＋am＝1010−18ｍ＝10−8ｍ
・10−17mの時代の宇宙の場合。
1原子と1原子の間の距離=1010＋am＝1010−17ｍ＝10−7ｍ
・10−16mの時代の宇宙の場合。
1原子と1原子の間の距離=1010＋am＝1010−16ｍ＝10−6ｍ
・10−15mの時代の宇宙の場合。
1原子と1原子の間の距離=1010＋am＝1010−15ｍ＝10−5ｍ
・10−14mの時代の宇宙の場合。
1原子と1原子の間の距離=1010＋am＝1010−14ｍ＝10−4ｍ
・10−13mの時代の宇宙の場合。
1原子と1原子の間の距離=1010＋am＝1010−13ｍ＝10−3ｍ
・10−12mの時代の宇宙の場合。
1原子と1原子の間の距離=1010＋am＝1010−12ｍ＝10−2ｍ
・10−11mの時代の宇宙の場合。
1原子と1原子の間の距離=1010＋am＝1010−11ｍ＝10−1ｍ
・10−10mの時代の宇宙の場合。
1原子と1原子の間の距離=1010＋am＝1010−10ｍ＝1ｍ
【請求項１２】
1原子と1原子の間の距離は1010＋amである。この場合、1原子と1原子の間の引力はいくらか。(原子と原子の間の距離を1010＋amであるとする場合)
1原子と1原子の間の引力＝1電子のラブが1秒間に作る磁気の光子のエネルギー2÷1原子と1原子の間の距離2＝(7.812×10−26Jm÷10am)2÷(1010＋am)2＝61.027×10−52J÷102a÷1020＋2am=6.102×10−51×10−2a−20−2aJ/m=6.1027×10−71−4aJ/m
1原子と1原子の間の引力＝6.103×10−71−4aJ/m
.。宇宙の時代を電子のラブの公転軌道で表した場合、1原子と1原子間の引力はいくらか。
・ビッグバンの以前、電子のラブのエネルギーが8.665Jで、公転軌道が10−24mの場合。
1原子と1原子の間の引力＝6.103×10−71−4aJ/m＝6.103×10−71−(4×−24)＝6.103×1025J/m
・ビッグバンの以前、電子のラブのエネルギーが1Jで、公転軌道が8.665×10−24mの場合。
1原子と1原子の間の引力＝6.103×10−71−4aJ/m＝6.103×10−71−4×(0.9379−24)
J/m＝6.103×10−71−4×−23.0621 J/m =6.103×1021.2484 J/m＝6.103×1021×1.772 J/m＝1.081×1022J/m
・10−20mの時代の宇宙の場合。
1原子と1原子の間の引力＝6.103×10−71−4×−20 J/m＝6.103×109J/m
・10−19mの時代の宇宙の場合。
1原子と1原子の間の引力＝6.103×10−71−4×−19 J/m＝6.103×105J/m
・10−18mの時代の宇宙の場合。
1原子と1原子の間の引力＝6.103×10−71−4×−18J/m＝6.103×10J/m
・10−17mの時代の宇宙の場合。
1原子と1原子の間の引力＝6.103×10−71−4×−17 J/m＝6.103×10−3J/m
・10−16mの時代の宇宙の場合。
1原子と1原子の間の引力＝6.103×10−71−4×−16J/m＝6.103×10−7 J/m
・10−15mの時代の宇宙の場合。
1原子と1原子の間の引力＝6.103×10−71−4×−15 J/m＝6.103×10−11J/m
・10−14mの時代の宇宙の場合。
1原子と1原子の間の引力＝6.103×10−71−4×−14J/m＝6.103×10−15J/m
・10−13mの時代の宇宙の場合。
1原子と1原子の間の引力＝6.103×10−71−4×−13J/m＝6.103×10−19J/m
・10−12mの時代の宇宙の場合。
1原子と1原子の間の引力＝6.103×10−71−4×−12J/m＝6.103×10−23J/m
・10−11mの時代の宇宙の場合。
1原子と1原子の間の引力＝6.103×10−71−4×−11J/m＝6.103×10−27J/m
・10−10mの時代の宇宙の場合。
1原子と1原子の間の引力＝6.103×10−71−4×−10J/m＝6.103×10−31J/m
【請求項１３】
引力と、1m3に存在する原子数の関係式はどのようであるか。 (原子と原子の間の距離を1010＋amであるとする場合)
2007年8月25日に提出した、特願2007−246139、次のように記した。
(10−16ｍの時代の宇宙には、１ｍ3に原子は1018個存在した。10−15ｍの時代の宇宙には、１ｍ3に原子は1015個存在した。10−14ｍの時代の宇宙には、１ｍ3に原子は1012個存在した。)
・引力と、1m3の原子数の関係式はどのようであるか。
・10−16ｍの時代の宇宙の場合。
引力は、6.103×10−7 J/mです。
1m3の原子数4÷引力3＝(1018個)4÷(6.103×10−7J/m)3＝1072個÷(227.32×10−21J/m)＝4.4×1090個/J/m
・10−15ｍの時代の宇宙の場合。
引力は、6.103×10−11J/mです。
1m3の原子数4÷引力3＝(1015個)4÷(6.103×10−11J/m)3＝1060個÷(227.32×10−33J/m)＝4.4×1090個/J/m
・10−14ｍの時代の宇宙の場合。
引力は、6.103×10−15J/mです。
1m3の原子数4÷引力3＝(1012個)4÷(6.103×10−15J/m)3＝1048個÷(227.32×10−45J/m)＝4.4×1090個/J/m
・引力と、1m3の原子数の関係式は次のようです。
1m3の原子数4÷引力3＝4.4×1090個/J/m
1m3の原子数4＝4.4×1090個/J/m×引力3
1m3の原子数＝(4.4×1090個/J/m×引力3)1/4
引力3=1m3の原子数4÷(4.4×1090個/J/m)
引力={1m3の原子数4÷(4.4×1090個/J/m)}1/3
・1m3の原子数4＝4.4×1090個/J/m×引力3、1m3の原子数＝(4.4×1090個/J/m×引力3)1/4
の式が成立することを、確かめる。
・10−20ｍの場合。
1m3の原子数4＝4.4×1090個/J/m×引力3
(1030個)4＝4.4×1090個/J/m×(6.103×109J/m)3＝4.4×1090個/J/m×227.32×1027＝10120個
1m3の原子数＝(4.4×1090個/J/m×引力3)1/4
1030個＝｛4.4×1090個/J/m×(6.103×109J/m)3｝1/4＝(4.4×1090個/J/m×227.32×1027J/m)1/4=1030個
.・10−19ｍの場合。
1m3の原子数4＝4.4×1090個/J/m×引力3
(1027個)4＝4.4×1090個/J/m×(6.103×105J/m)3＝4.4×1090個/J/m×227.32×1015J/m＝10108個
1m3の原子数＝(4.4×1090個/J/m×引力3)1/4
1027個＝｛4.4×1090個/J/m×(6.103×105J/m)3｝1/4＝(4.4×1090個/J/m×227.32×1015)1/4=1027個
・10−18mの場合。
(1024個)4＝4.4×1090個/J/m×(6.103×10J/m)3＝4.4×1090個/J/m×227.32×103J/m＝1096個
1m3の原子数＝(4.4×1030個/J/m×引力3)1/4
1024個＝｛4.4×1090個/J/m×(6.103×10J/m)3｝1/4＝(4.4×1090個/J/m×227.32×103J/m)1/4=1024個
この計算によって、・1m3の原子数4＝4.4×1090個/J/m×引力3、1m3の原子数＝(4.4×1090個/J/m×引力3)1/4
の式は成立する。
また、引力3=1m3の原子数4÷(4.4×1090個/J/m)、引力={1m3の原子数4÷(4.4×1090個/J/m)}1/3、の式も成立する。
【請求項１４】
1m3の原子数は、1原子と1原子の間の引力の何倍か。(原子と原子の間の距離を1010＋amであるとする場合)
10aの時代の宇宙の場合。
1原子と1原子の間の引力は、6.103×10−71−4aJ/mです。
1m3の原子数は、10−30−3a、です。
・1m3の原子数は、1原子と1原子の間の引力の何倍か。
1m3の原子数÷1原子と1原子の間の引力＝10−30−3a÷(6.103×10−71−4aJ/m)＝1071−30−3a+4a÷6.103＝1.639×1040＋a(倍)
1m3の原子数は、1原子と1原子の間の引力の1.639×1040＋a倍です。
・宇宙の時代を電子のラブの公転軌道で表した場合、1m3の原子数は、1原子と1原子の間の引力の何倍か。
・ビッグバンの以前、電子のラブのエネルギーが8.665Jで、公転軌道が10−24mの場合。
1m3の原子数＝1原子と1原子の間の引力の1.639×1040＋a倍＝1原子と1原子の間の引力の1.639×1040−24倍＝1原子と1原子の間の引力の1.639×1016倍
・ビッグバンの以前、電子のラブのエネルギーが1Jで、公転軌道が8.665×10−24mの場合。
1m3の原子数＝1原子と1原子の間の引力の1.639×1040×8.665×10−24倍＝1原子と1原子の間の引力の1.187×1017倍
・10−20mの時代の宇宙の場合。
1m3の原子数＝1原子と1原子の間の引力の1.639×1040−20倍＝1原子と1原子の間の引力の1.639×1020倍
・10−19mの時代の宇宙の場合。
1m3の原子数＝1原子と1原子の間の引力の1.639×1040−19倍＝1原子と1原子の間の引力の1.639×1021倍
・10−18mの時代の宇宙の場合。
1m3の原子数＝1原子と1原子の間の引力の1.639×1040−18倍＝1原子と1原子の間の引力の1.639×1022倍
・10−17mの時代の宇宙の場合。
1m3の原子数＝1原子と1原子の間の引力の1.639×1040−17倍＝1原子と1原子の間の引力の1.639×1023倍
・10−16mの時代の宇宙の場合。
1m3の原子数＝1原子と1原子の間の引力の1.639×1040−16倍＝1原子と1原子の間の引力の1.639×1024倍
・10−15mの時代の宇宙の場合。
1m3の原子数＝1原子と1原子の間の引力の1.639×1040−15倍＝1原子と1原子の間の引力の1.639×1025倍
・10−14mの時代の宇宙の場合。
1m3の原子数＝1原子と1原子の間の引力の1.639×1040−14倍＝1原子と1原子の間の引力の1.639×1026倍
・10−13mの時代の宇宙の場合。
1m3の原子数＝1原子と1原子の間の引力の1.639×1040−13倍＝1原子と1原子の間の引力の1.639×1027倍
・10−12mの時代の宇宙の場合。
1m3の原子数＝1原子と1原子の間の引力の1.639×1040−12倍＝1原子と1原子の間の引力の1.639×1028倍
・10−11mの時代の宇宙の場合。
1m3の原子数＝1原子と1原子の間の引力の1.639×1040−11倍＝1原子と1原子の間の引力の1.639×1029倍
・10−18mの時代の宇宙の場合。
1m3の原子数＝1原子と1原子の間の引力の1.639×1040−10倍＝1原子と1原子の間の引力の1.639×1030倍
【請求項１５】
1m3の原子数4＝4.4×1090個/J/m×引力3。1m3の原子数＝(4.4×1090個/J/m×引力3)1/4、の式と、1m3の原子数＝1原子と1原子の間の引力の1.639×1040＋a倍、は同じことを意味する。(原子と原子の間の距離を1010＋amとする場合。)
「請求項13」で、1m3の原子数4＝4.4×1090個/J/m×引力3。1m3の原子数＝(4.4×1090個/J/m×引力3)1/4、の式が成立することを確かめた。
また、「請求項14」で、1m3の原子数＝1原子と1原子の間の引力の1.639×1040＋a倍であることを確かめた。
よって、
1m3の原子数4＝4.4×1090個/J/m×引力3、
1m3の原子数＝(4.4×1090個/J/m×引力3)1/4
の式と、
1m3の原子数＝1原子と1原子の間の引力の1.639×1040＋a倍＝引力×1.639×1040＋a、
の式は同じことを意味する。
このことにより、
引力3=1m3の原子数4÷(4.4×1090個/J/m)
引力={1m3の原子数4÷(4.4×1090個/J/m)}1/3
の式と
引力＝1m3の原子数÷(1.639×1040＋a)
の式は同じことを意味する。
【請求項１６】
原子と原子の間の距離を電子のラブの公転軌道であるとして計算した、原子と原子の間の引力は、原子と原子の間の距離を1010＋amであるとして計算した、原子と原子の間の引力の何倍か。
原子と原子の間の距離を電子のラブの公転軌道であるとして計算した、原子と原子の間の引力＝電子のラブが1秒間に作る磁気の光子のエネルギー2÷電子のラブの公転軌道2
原子と原子の間の距離を1010＋amであるとして計算した、原子と原子の間の引力＝電子のラブが1秒間に作る磁気の光子のエネルギー2÷原子と原子の間の距離2＝電子のラブが1秒間に作る磁気の光子のエネルギー2÷(1010＋am)2
よって、原子と原子の間の距離を電子のラブの公転軌道であるとして計算した、原子と原子の間の引力÷原子と原子の間の距離を1010＋amであるとして計算した、原子と原子の間の引力＝電子のラブが1秒間に作る磁気の光子のエネルギー2÷電子のラブの公転軌道2÷｛電子のラブが1秒間に作る磁気の光子のエネルギー2÷(1010＋a)2｝＝10−2a×(1010＋a)2＝1020(倍)です。
原子と原子の間の距離を電子のラブの公転軌道であるとして計算した原子と原子の間の引力は、原子と原子の間の距離を1010＋amであるとして計算した原子と原子の間の引力の1020倍です。
【請求項１７】
原子と原子の間の距離を1010＋amであるとする場合、1m3の原子数は、1原子と1原子の間の引力の1.639×1040＋a倍です。原子と原子の間の距離を電子のラブの公転軌道であるとする場合、1m3の原子数は、1原子と1原子の間の引力の1.639×1020＋a倍です。この理由はどうしてか。
この理由は、原子と原子の間の距離を電子のラブの公転軌道であるとして計算した原子と原子の間の引力は、原子と原子の間の距離を1010＋amであるとして計算した原子と原子の間の引力の1020倍であるからです。
【請求項１８】
原子と原子の間の距離を電子のラブの公転軌道であるとして計算した場合の1m3の原子数は、原子と原子の間の距離を1010＋amであるとして計算した場合の1m3の原子数の何倍か。
原子と原子の間の距離を電子のラブの公転軌道であるとして計算した場合、1m3の原子数＝原子と原子の間の引力×1.639×1020＋a＝6.103×10−51−4aJ/m×1.639×1020＋a＝10−30−3a、です。原子と原子の間の距離を1010＋amであるとして計算した場合、1m3の原子数は、原子と原子の間の引力×1.639×1040＋a＝6.103×10−71−4aJ/m×1.639×1040＋a＝10−30−3aです。
よって、原子と原子の間の距離を電子のラブの公転軌道であるとして計算した場合の1m3の原子数÷原子と原子の間の距離を1010＋amであるとして計算した場合の1m3の原子数＝10−30−3a÷(10−30−3a)＝１
原子と原子の間の距離を電子のラブの公転軌道であるとして計算した場合の1m3の原子数は、原子と原子の間の距離を1010＋amであるとして計算した場合の1m3の原子数と同じです。
このことを表に示す。
原子と原子の間の距離を1010＋amであるとして計算した場合。
表6
2011101540.tif 000008

【請求項１９】
ビッグバンの以前の後期、電子のラブのエネルギーが8.665Jの場合、1m3の原子数から算出した宇宙の半径は1.027×1014ｍです。しかし、私が2009年9月19日に提出した、特願2009−218192．「請求項16」に記した、ビッグバンの以前の後期の球体の半径は、1.121×104ｍです。ビッグバンの以前の後期、電子のラブのエネルギーが1Jの場合、1m3の原子数から算出した宇宙の半径は1.185×1013ｍです。しかし、私が2009年9月19日に提出した、特願2009−218192．「請求項16」に記した、ビッグバンの以前の後期の球体の半径は、1.261×103ｍです。このことによって何が理解できるか。宇宙収縮はどのように行われるか。
ビッグバンの以前の後期、宇宙の原子は宇宙から集められたものではない。
もし、宇宙の原子は宇宙から集められたものであるならば、電子のラブのエネルギーが8.665Jの場合、1m3の原子数から算出した宇宙の半径は1.027×1014ｍです。
そして、もし、宇宙の原子は宇宙から集められたものであるならば、電子のラブのエネルギーが1Jの場合、1m3の原子数から算出した宇宙の半径は1.185×1013ｍです。(宇宙の原子数が1.077×1079個である場合)
もし、宇宙の原子数が4.554×1084個であるとしたら、電子のラブのエネルギーが1Jの場では、電子のラブの公転軌道は、8.665×10−24Jm÷１J =8.665×10−24ｍですから、1m3の原子数は、10−30m÷公転軌道3個、ですから、
1m3の原子数＝10−30m÷公転軌道3個＝10−30m÷(8.665×10−24ｍ)3個＝10−30m÷(6.506×10−70)個＝1.537×1039個、です。
このときの宇宙の体積はいくらか。
宇宙の体積＝宇宙の原子数÷1m3の原子数＝4.554×1084個÷(1.537×1039個)＝2.963×1045(m3)
このときの宇宙の半径はいくらか。
4π/3 r3＝2.963×1045m3
ｒ3＝2.963×1045m3÷4π/3＝0.708×1045m3
r＝(0.708×1045m3)1/3=0.891×1015ｍ
即ち、インフレーションの逆で、宇宙の原子が集められたものであるならば、宇宙の原子数が4.554×1084個であるとしたら、電子のラブのエネルギーが１Jであり、公転軌道が8.665×10−24ｍであるとき、宇宙の半径は、0.891×1015ｍです。
そして、電子のラブのエネルギーが8.665Jであり、公転軌道が10−24ｍであるとき、宇宙の半径は、1.027×1014ｍです。
このように、宇宙収縮の場合、宇宙の様子は、表に示した逆のコースに従って宇宙収縮する。
【請求項２０】
宇宙収縮に必要な条件はなにか。
宇宙収縮に必要な条件は、電子のラブが1秒間に作る磁気の光子のエネルギーが次第に大きくなることです。
宇宙収縮に必要な条件は、原子と原子の間の引力が次第に大きくなることです。
宇宙収縮に必要な条件は、電子のラブのエネルギーが次第に大きくなり軌道が小さくなることです。
宇宙収縮に必要な条件は、陽子のラブのエネルギーが次第に大きくなり軌道が小さくなることです。
【請求項２１】
宇宙収縮は可能であるか。
電子のラブのエネルギーが減少したら、何かエネルギーをプラスしなければ、エネルギーは大きくならない。電子のラブのエネルギーが次第に大きくなり続けるためには、エネルギーをプラスし続けなければならない。
電子のラブのエネルギーが減少した場では、プラスするエネルギーも存在しない。
よって、宇宙収縮は不可能である。
【請求項２２】
インフレーションで宇宙の大きさは何倍になったか。
ビッグバンの以前の後期、電子のラブのエネルギーが8.665Jの場合、宇宙の原子数は4.554×1084個で、球体の半径は、1.121×104ｍです。
ビッグバンの以前の後期、電子のラブのエネルギーが1Jの場合、宇宙の原子数は1.077×1079個で、球体の半径は、1.261×103ｍです。(2009年9月19日に提出した、特願2009−218192．「請求項16」)
・インフレーションで電子のラブの公転軌道が10−20ｍになったとすると、宇宙は何倍に膨張したか。
10−20ｍの時代の宇宙の半径は、宇宙の原子数が4.554×1084個の場合、1.029×1018ｍです。
10−20ｍの時代の宇宙の半径は、宇宙の原子数が1.077×1079個の場合、1.370×1016ｍです。
・宇宙の原子数が4.554×1084個の場合、インフレーションで電子のラブの公転軌道が10−20ｍになったとすると宇宙は何倍に膨張したか。
10−20ｍの時代の宇宙の半径÷ビッグバンの以前の後期の宇宙の半径＝1.029×1018ｍ÷(1.121×104ｍ)＝9.179×1013(倍)
9.179×1013倍に膨張した。
・宇宙の原子数が1.077×1079個の場合、インフレーションで電子のラブの公転軌道が10−20ｍになったとすると宇宙は何倍に膨張したか。
10−20ｍの時代の宇宙の半径÷ビッグバンの以前の後期の宇宙の半径＝1.370×1016ｍ÷(1.261×103ｍ)＝1.086×1013(倍)
1.086×1013倍に膨張した。
・インフレーションで電子のラブの公転軌道が10−18ｍになったとすると、宇宙は何倍に膨張したか。
10−18ｍの時代の宇宙の半径は、宇宙の原子数が4.554×1084個の場合、1.029×1020ｍです。
10−18ｍの時代の宇宙の半径は、宇宙の原子数が1.077×1079個の場合、1.370×1018ｍです。
・宇宙の原子数が4.554×1084個の場合、インフレーションで電子のラブの公転軌道が10−18ｍになったとすると宇宙は何倍に膨張したか。
10−18ｍの時代の宇宙の半径÷ビッグバンの以前の後期の宇宙の半径＝1.029×1020ｍ÷(1.121×104ｍ)＝9.179×1015(倍)
9.179×1015倍に膨張した。
・宇宙の原子数が1.077×1079個の場合、インフレーションで電子のラブの公転軌道が10−18ｍになったとすると宇宙は何倍に膨張したか。
10−18ｍの時代の宇宙の半径÷ビッグバンの以前の後期の宇宙の半径＝1.370×1018ｍ÷(1.261×103ｍ)＝1.086×1015(倍)
1.086×1015倍に膨張した。
【請求項２３】
宇宙の膨張と1原子と1原子の間の引力の関係式はどのようになっているか。
宇宙の体積＝宇宙の原子数÷1m3の原子数
4π/3 r3=宇宙の原子数÷1m3の原子数
r3=宇宙の原子数÷1m3の原子数÷4π/3
ｒ＝(宇宙の原子数÷1m3の原子数÷4π/3)1/3
この式に、1m3の原子数＝1原子と1原子の間の引力×1.639×1020＋aを代入する。
ｒ＝｛宇宙の原子数÷(1原子と1原子の間の引力×1.639×1020＋a)÷4π/3)｝1/3
＝(宇宙の原子数÷1原子と1原子の間の引力×0.1457×10−20−a) 1/3
＝宇宙の原子数1/3÷1原子と1原子の間の引力1/3×(1.457×10−21−a)1/3
＝宇宙の原子数1/3÷1原子と1原子の間の引力1/3×1.134×10−7×10−a/3
このことによって理解できること。
1．ｒ＝宇宙の原子数1/3÷1原子と1原子の間の引力1/3×1.134×10−7×10−a/3
2．宇宙の膨張は、宇宙の原子数1/3に比例し、1原子と1原子の間の引力1/3に反比例し、電子のラブの公転軌道1/3に反比例する。
【請求項２４】
宇宙の膨張と電子のラブの公転軌道の関係式はどのようになっているか。
宇宙の体積＝宇宙の原子数÷1m3の原子数
4π/3 r3=宇宙の原子数÷1m3の原子数
r3=宇宙の原子数÷1m3の原子数÷4π/3
ｒ＝(宇宙の原子数÷1m3の原子数÷4π/3)1/3
この式に、1m3の原子数＝10−30÷電子のラブの公転軌道3を代入する。
ｒ＝｛宇宙の原子数÷(10−30÷電子のラブの公転軌道3) ÷4π/3｝1/3
=(宇宙の原子数×1030×10a×3÷４π/3)1/3
=宇宙の原子数1/3×1010×10a÷4.1871/3=宇宙の原子数1/3×1010×10a÷1.612＝宇宙の原子数1/3×1010×10a×0.620＝宇宙の原子数1/3×109＋a×6.20
このことによって理解できること。
1．ｒ＝宇宙の原子数1/3×109＋a×6.20
2．宇宙の膨張は、宇宙の原子数1/3に比例し、電子のラブの公転軌道に比例する。
【請求項２５】
もし、宇宙収縮がおきたと仮定して、再びビッグバンはおきるのか。
宇宙の原子数が、4.554×1084個の場合。
宇宙収縮がおきたとして、電子のラブの公転軌道が10−24ｍになったとします。このときの半径は、1.027×1014ｍです。この半径ではビッグバンはおきません。ビッグバンが起きる半径は、少なくとも電子のラブと陽子のラブが公転しているとき、1.121×104ｍにまで収縮する必要があります。
【発明の詳細な説明】
【技術分野】
【０００１】
この発明は、宇宙の時代を、電子のラブの公転軌道で表した場合、宇宙の体積と半径はどのように変化したのかに関する。宇宙の膨張に関する。宇宙の膨張が何によって行われたのかに関する。宇宙の収縮に必要なことは何かに関する。インフレーションに関する。
【背景技術】
【０００２】
宇宙は膨張している。宇宙の膨張はどのように行われたか。私は、2009年9月19日に提出した、特願2009−218192．において、ビッグバンの以前の引力を求めた。引力により、宇宙の原子は集められている。宇宙の原子数は、ビッグバンの以前、電子のラブのエネルギーが8.665Jの場合、4.554×1084個であり、電子のラブのエネルギーが1Jの場合、1.007×1079個であると理解した。2007年8月25日に提出した、特願2007−24613９．で次のように記した。(10−16ｍの時代の宇宙には、１ｍ3に原子は1018個存在した。10−15ｍの時代の宇宙には、１ｍ3に原子は1015個存在した。10−14ｍの時代の宇宙には、１ｍ3に原子は1012個存在した。10−16ｍの時代の宇宙は、1秒間に作る磁気の光子のエネルギーは7.812×10−10Jで、１ｍ3に原子は1018個存在した。10−15ｍの時代の宇宙は、1秒間に作る磁気の光子のエネルギーは7.812×10−11Jで、１ｍ3に原子は1015個存在した。10−14ｍの時代の宇宙は、1秒間に作る磁気の光子のエネルギーは7.812×10−12Jで、１ｍ3に原子は1012個存在した。)   
【先行技術文献】
【特許文献】
【０００３】
【特許文献１】特願2007−246139
【特許文献２】特願2009−218192
【発明の概要】
【発明が解決しようとする課題】
【０００４】
１．電子のラブが1秒間に作る磁気の光子のエネルギーを求める式と引力。
２．宇宙の軌道を電子のラブの公転軌道であらわし、その軌道において、電子のラブが1秒間に作る磁気の光子のエネルギーを求める。
３．1秒間にできる磁気の光子のエネルギーと、1m3に存在する原子数の関係式はどのようであるか。
４．1秒間にできる磁気の光子のエネルギーと、1mに存在する原子数の関係式はどのようであるか。
５．1m3に存在する原子数(素粒子数)から算出して、宇宙の大きさの半径はいくらか。
６．1原子と1原子の間にできる引力はいくらか。1素粒子(電子のラブ)と1素粒子(電子のラブ)の間にできる引力はいくらか。(原子と原子の間の距離を電子のラブの公転軌道とする場合)
７．引力と、1m3に存在する原子数の関係式はどのようであるか。(1原子と1原子の距離を電子のラブの公転軌道とする場合。)
８．1m3の原子数は、1原子と1原子の間の引力の何倍か。(原子と原子の間の距離を電子のラブの公転軌道とする場合。)
９．1m3の原子数4＝4.4×1030個/J/m×引力3。1m3の原子数＝(4.4×1030個/J/m×引力3)1/4、の式と、1m3の原子数＝1原子と1原子の間の引力の1.639×1020＋a倍。は同じことを意味する。(原子と原子の間の距離を電子のラブの公転軌道とする場合。)
１０．1m3の原子数＝1原子と1原子の間の引力×1.639×1020＋a＝6.103×10−51−4aJ/m×1.639×1020＋a、です。このことは何を意味するか。(原子と原子の間の距離を電子のラブの公転軌道とする場合。)
１１．1個の原子または素粒子が存在する長さはいくらか。原子と原子の間の距離はいくらか。原子(素粒子)が存在する長さは、原子(素粒子)の大きさの何倍か。原子(素粒子)が存在する大きさは、原子(素粒子)の大きさの何倍か。(宇宙の原子はどのように存在しているかを知る。原子と原子の間の距離はいくらか。)
１２．1原子と1原子の間の距離は1010＋amである。この場合、1原子と1原子の間の引力はいくらか。(原子と原子の間の距離を1010＋amであるとする場合。)
１３．引力と、1m3に存在する原子数の関係式はどのようであるか。 (原子と原子の間の距離を1010＋amであるとする場合。)
１４．1m3の原子数は、1原子と1原子の間の引力の何倍か。(原子と原子の間の距離を1010＋amであるとする場合。)
１５．1m3の原子数4＝4.4×1090個/J/m×引力3。1m3の原子数＝(4.4×1090個/J/m×引力3)1/4、の式と、1m3の原子数＝1原子と1原子の間の引力の1.639×1040＋a倍、は同じことを意味する。(原子と原子の間の距離を1010＋amとする場合。)
１６．原子と原子の間の距離を電子のラブの公転軌道であるとして計算した、原子と原子の間の引力は、原子と原子の間の距離を1010＋amであるとして計算した、原子と原子の間の引力の何倍か。
１７．原子と原子の間の距離を1010＋amであるとする場合、1m3の原子数は、1原子と1原子の間の引力の1.639×1040＋a倍です。原子と原子の間の距離を電子のラブの公転軌道であるとする場合、1m3の原子数は、1原子と1原子の間の引力の1.639×1020＋a倍です。この理由はどうしてか。
１８．原子と原子の間の距離を電子のラブの公転軌道であるとして計算した場合の1m3の原子数は、原子と原子の間の距離を1010＋amであるとして計算した場合の1m3の原子数の何倍か。
１９．ビッグバンの以前の後期、電子のラブのエネルギーが8.665Jの場合、1m3の原子数から算出した宇宙の半径は1.027×1014ｍです。しかし、私が2009年9月19日に提出した、特願2009−218192．「請求項16」に記した、ビッグバンの以前の後期の球体の半径は、1.121×104ｍです。ビッグバンの以前の後期、電子のラブのエネルギーが1Jの場合、1m3の原子数から算出した宇宙の半径は1.185×1013ｍです。しかし、私が2009年9月19日に提出した、特願2009−218192．「請求項16」に記した、ビッグバンの以前の後期の球体の半径は、1.261×103ｍです。このことによって何が理解できるか。宇宙収縮はどのように行われるか。
２０．宇宙収縮に必要な条件はなにか。
２１．宇宙収縮は可能であるか。
２２．インフレーションで宇宙の大きさは何倍になったか。
２３．宇宙の膨張と1原子と1原子の間の引力の関係式はどのようになっているか。
２４．宇宙の膨張と電子のラブの公転軌道の関係式はどのようになっているか。
【課題を解決するための手段】
【０００５】
宇宙の膨張はどのように行われたか。宇宙の時代を電子のラブの公転軌道で表すとき、宇宙の大きさはどれ位だったのか。宇宙の原子数は一定であり、それらは、1秒間にできる磁気の光子のエネルギー(引力)によって集められている。宇宙の時代を電子のラブの公転軌道で表す時、1秒間にできる磁気の光子のエネルギーは、7.812×10−26Jm÷電子のラブの公転軌道、である。この磁気の光子のエネルギーによって1m3の原子数が集められている。
私は、2007年8月25日に提出した、特願2007−246139に、次のように記した。
(10−16ｍの時代の宇宙には、１ｍ3に原子は1018個存在した。10−15ｍの時代の宇宙には、１ｍ3に原子は1015個存在した。10−14ｍの時代の宇宙には、１ｍ3に原子は1012個存在した。
10−16ｍの時代の宇宙は、1秒間に作る磁気の光子のエネルギーは7.812×10−10Jで、１ｍ3に原子は1018個存在した。
10−15ｍの時代の宇宙は、1秒間に作る磁気の光子のエネルギーは7.812×10−11Jで、１ｍ3に原子は1015個存在した。
10−14ｍの時代の宇宙は、1秒間に作る磁気の光子のエネルギーは7.812×10−12Jで、１ｍ3に原子は1012個存在した。)
このことから、1秒間にできる磁気の光子のエネルギーと1m3に存在する原子数の関係がわかる。
1m3の原子数＝1秒間にできる磁気の光子のエネルギー3÷(4.767×10−46J/個)
1mの原子数＝(1秒間にできる磁気の光子のエネルギー)1/3÷(4.767×10−46J/個)1/3
宇宙の原子数は、2009年9月19日に提出した、特願2009−218192、に記した。
ビッグバンの以前の電子のラブのエネルギーが8.665Jの場合は、宇宙の原子数は、4.554×1084個であり、ビッグバンの以前の電子のラブのエネルギーが1Jの場合は、宇宙の原子数は、1.077×1079個である。
宇宙の体積＝宇宙の原子数÷1m3の原子数＝宇宙の原子数÷｛1秒間にできる磁気の光子のエネルギー3÷(4.767×10−46J/個)｝＝宇宙の原子数÷｛(7.812×10−26Jm÷電子のラブの公転軌道)3÷(4.767×10−46J/個)｝
宇宙の体積から宇宙の半径を計算する。
さらに、原子と原子の間でできる引力と、1m3の原子数の関係を求め、宇宙の膨張を考える。
原子と原子の間の距離を、原子の大きさである電子のラブの公転軌道とする場合と、宇宙空間に存在する原子の数から算出する場合の2通りについて、考察する。
【発明の効果】
【０００６】
1．電子のラブが1秒間に作る磁気の光子のエネルギー＝7.812×10−26Jm÷電子のラブの公転軌道、の式により、宇宙の時代の1秒間に作る磁気の光子のエネルギーが算出できた。
2．1秒間にできる磁気の光子のエネルギーと、1m3に存在する原子数の関係式は、
1m3の原子数＝1秒間にできる磁気の光子のエネルギー3÷(4.767×10−46J/個)
1秒間にできる磁気の光子のエネルギー3＝1m3の原子数×4.767×10−46J/個、です。
3．1秒間にできる磁気の光子のエネルギーと、1mに存在する原子数の関係式は、
1mの原子数＝1秒間にできる磁気の光子のエネルギー÷(7.812×10−16J/個)、
1秒間にできる磁気の光子のエネルギー＝1mの原子数×7.812×10−16J/個、です。
4．磁気の光子のエネルギーが7.812×10−16Jで、1mに1個の原子を引きつけておくことができる。
5．地表で、電子のラブが1秒間に作る磁気の光子のエネルギー(7.382×10−16J)と同じくらいのエネルギーで１ｍに1個の原子を引き付けている。
6．10−10ｍの軌道の宇宙では、1mに1個の原子が存在し、1m3に1個の原子が存在する。ダークマターである自転する陽子のラブと電子のラブは1m3に1個存在する。
7．10amの時代の宇宙の場合。半径を求める一般式。
1mの原子数＝1秒間にできる磁気の光子のエネルギー÷(7.812×10−16J/個)＝7.812×10−26Jm÷10a÷(7.812×10−16J/個)＝10−10−a
1m3の原子数＝(10−10−a)3＝10−30−3a
体積＝4π/3 r3＝宇宙の原子数÷1m3の原子数＝宇宙の原子数÷(10−10−a)3m3
r3=宇宙の原子数÷(10−10−a)3÷4π/3m3
ｒ＝(宇宙の原子数÷(10−10−a)3÷4π/3)1/3m=宇宙の原子数1/3÷(10−10−a)÷(4π/3)1/3m=宇宙の原子数1/3×1010＋a÷1.612m＝宇宙の原子数1/3×1010＋a×0.620m
r＝宇宙の原子数1/3×1010＋a×0.620m、です。
よって、宇宙の原子数が1.077×1079個の場合、
ｒ＝宇宙の原子数1/3×1010＋a×0.620m＝(1.077×1079個)1/3×1010＋a×0.620m＝(10.77×1078)1/3×1010＋a×0.620m＝2.209×1026×1010＋a×0.620m＝×0.620＝1.370×1036＋am
ｒ＝1.370×1036+am、です。
宇宙の原子数が4.554×1084個の場合、
ｒ＝宇宙の原子数1/3×1010＋a×0.620m＝(4.554×1084個) 1/3×1010＋a×0.620m＝1.659×1028×1010＋a×0.620m＝1.029×1038+am
ｒ＝1.029×1038+am、です。
ビッグバンの以前の電子のラブのエネルギーが、αJの場合、宇宙の原子の数は、1.0765×1079×α6個、ですから、
ｒ＝(1.0765×1079×α6個)1/3×1010＋a×0.620m＝(10.765×1078×α6個) 1/3×1010＋a×0.620m＝2.208×1026×α2個×1010＋a×0.620m＝1.369×1036＋a×α2ｍ、です。
8．1原子と1原子の間にできる引力＝1原子が1秒間に作る磁気の光子のエネルギー2÷1原子の大きさ2＝電子のラブが1秒間に作る磁気の光子のエネルギー2÷電子のラブの公転軌道2
1素粒子(電子のラブ)と1素粒子(電子のラブ)の間にできる引力＝電子のラブが1秒間に作る磁気の光子のエネルギー2÷電子のラブの公転軌道2
9．宇宙の時代を電子のラブの公転軌道で表すと、宇宙の半径はいくらか。
これを一般式であらわす。
10amの時代の宇宙の場合。
1mの原子数＝1秒間にできる磁気の光子のエネルギー÷(7.812×10−16J/個)＝7.812×10−26Jm÷10a÷(7.812×10−16J/個)＝10−10−a
1m3の原子数＝(10−10−a)3＝10−30−3a
体積＝4π/3 r3＝宇宙の原子数÷1m3の原子数＝宇宙の原子数÷(10−10−a)3m3
r3=宇宙の原子数÷(10−10−a)3÷4π/3m3
ｒ＝(宇宙の原子数÷(10−10−a)3÷4π/3)1/3m=宇宙の原子数1/3÷(10−10−a)÷(4π/3)1/3m=宇宙の原子数1/3×1010＋a÷1.612m＝宇宙の原子数1/3×1010＋a×0.620m
r＝宇宙の原子数1/3×1010＋a×0.620m、です。
宇宙の原子数が1.077×1079個の場合。
ｒ＝宇宙の原子数1/3×1010＋a×0.620m＝(1.077×1079個)1/3×1010＋a×0.620m＝(10.77×1078)1/3×1010＋a×0.620m＝2.209×1026×1010＋a×0.620m＝×0.620＝1.370×1036＋am
ｒ＝1.370×1036+am、です。
宇宙の原子数が4.554×1084個の場合。
ｒ＝宇宙の原子数1/3×1010＋a×0.620m＝(4.554×1084個) 1/3×1010＋a×0.620m＝1.659×1028×1010＋a×0.620m＝1.029×1038+am
ｒ＝1.029×1038+am、です。
ビッグバンの以前の電子のラブのエネルギーが、αJの場合、宇宙の原子の数は、1.0765×1079×α6個、ですから、
ｒ＝(1.0765×1079×α6個)1/3×1010＋a×0.620m＝(10.765×1078×α6個) 1/3×1010＋a×0.620m＝2.208×1026×α2個×1010＋a×0.620m＝1.369×1036＋a×α2ｍ、です。
10．1原子と1原子の間にできる引力を求める一般式。(原子と原子の間の距離を電子のラブの公転軌道とする場合。)
1原子と1原子の間にできる引力＝(7.812×10−26−a)2J÷10a×2m＝61.027×10−52−2a−2aJ/m=6.103×10−51−4aJ/m
1原子と1原子の間にできる引力＝6.103×10−51−4aJ/m
11．1原子と1原子の間にできる引力は、6.103×10−51−4aJ/mです。(1原子と1原子の距離を電子のラブの公転軌道とする場合。)
12．時代を経るごとに、1原子と1原子の間にできる引力は10−4倍ずつ減少している。
13．引力と、1m3の原子数の関係式は次のようです。(1原子と1原子の距離を電子のラブの公転軌道とする場合。)
1m3の原子数4÷引力3＝4.4×1030個/J/m
1m3の原子数4＝4.4×1030個/J/m×引力3
1m3の原子数＝(4.4×1030個/J/m×引力3)1/4
引力3=1m3の原子数4÷(4.4×1030個/J/m)
引力={1m3の原子数4÷(4.4×1030個/J/m)}1/3
14．10amの時代の宇宙の場合。1m3の原子数は、1原子と1原子の間の引力の1.639×1020＋a倍です。(1原子と1原子の距離を電子のラブの公転軌道とする場合。)
15．1m3の原子数は、1原子と1原子の間の引力に比例する。
16．時代を経るごとに、1m3の原子数は、1原子と1原子の間の引力の10倍ずつ増加している。
17．1m3の原子数4＝4.4×1030個/J/m×引力3、1m3の原子数＝(4.4×1030個/J/m×引力3)1/4
の式と、1m3の原子数＝1原子と1原子の間の引力の1.639×1020＋a倍＝引力×1.639×1020＋a、の式は同じことを意味する。
引力3＝1m3の原子数4÷(4.4×1030個/J/m)、引力={1m3の原子数4÷(4.4×1030個/J/m)}1/3
の式と、引力＝1m3の原子数÷(1.639×1020＋a)の式は同じことを意味する。(1原子と1原子の距離を電子のラブの公転軌道とする場合。)
18．1m3の原子数＝1原子と1原子の間の引力×1.639×1020＋a＝6.103×10−51−4aJ/m×1.639×1020＋a、です。このことは何を意味するか。(1原子と1原子の距離を電子のラブの公転軌道とする場合。)
1原子と1原子の間の引力は時代を経るごとに10−4倍になり、1.639×1020＋aの値は時代を経るごとに10倍になるので、1m3の原子数は時代を経るごとに10−3倍になる。
19．1個の原子または素粒子が存在する長さはいくらか。原子と原子の間の距離はいくらか。原子(素粒子)が存在する長さは、原子(素粒子)の大きさの何倍か。原子(素粒子)が存在する大きさは、原子(素粒子)の大きさの何倍かを求める一般式。
1秒間にできるエネルギー＝7.812×10−26Jm÷電子のラブの公転軌道＝7.812×10−26Jm÷10am
1mの原子数＝1秒間にできる磁気の光子のエネルギー÷(7.812×10−16J/個)
1mの原子数＝7.812×10−26Jm÷10am÷(7.812×10−16J/個)＝10−10−a個
1mの原子数は、10−10−a個。
1個の原子(素粒子)は、1m÷(10−10−a個)＝1010＋aｍに存在す
原子(素粒子)が存在する長さは、1010＋amです。
1原子と1原子の間の距離は、1010＋amです。
1原子(素粒子)が存在する長さは、原子(素粒子)の大きさの1010＋a÷10a＝1010倍です。
大きさは、(1010)3＝1030倍です。
原子と1原子の間の距離は、1010＋amの式により、時代の1原子と1原子の間の距離を知る。
20．1原子と1原子の間の引力は6.103×10−71−4aJ/mです。(原子と原子の間の距離を1010＋amであるとする場合。)
1原子と1原子の間の引力＝1電子のラブが1秒間に作る磁気の光子のエネルギー2÷1原子と1原子の間の距離2＝(7.812×10−26Jm÷10am)2÷(1010＋am)2＝61.027×10−52J÷102a÷1020＋2am=6.102×10−51×10−2a−20−2aJ/m=6.1027×10−71−4aJ/m
1原子と1原子の間の引力＝6.1027×10−71−4aJ/mの式により、時代の1原子と1原子の間の引力を知る。
21．引力と、1m3の原子数の関係式は次のようです。(原子と原子の間の距離を1010＋amであるとする場合。)
1m3の原子数4÷引力3＝4.4×1090個/J/m
1m3の原子数4＝4.4×1090個/J/m×引力3
1m3の原子数＝(4.4×1090個/J/m×引力3)1/4
引力3=1m3の原子数4÷(4.4×1090個/J/m)
引力={1m3の原子数4÷(4.4×1090個/J/m)}1/3
22．1m3の原子数は、1原子と1原子の間の引力の1.639×1040＋a倍です。(原子と原子の間の距離を1010＋amであるとする場合。)
1m3の原子数÷1原子と1原子の間の引力＝10−30−3a÷(6.103×10−71−4aJ/m)＝1071−30−3a+4a÷6.103＝1.639×1040＋a(倍)
23．1m3の原子数4＝4.4×1090個/J/m×引力3、1m3の原子数＝(4.4×1090個/J/m×引力3)1/4
の式と、1m3の原子数＝1原子と1原子の間の引力の1.639×1040＋a倍＝引力×1.639×1040＋a、の式は同じことを意味する。
このことにより、
引力3=1m3の原子数4÷(4.4×1090個/J/m)、引力={1m3の原子数4÷(4.4×1090個/J/m)}1/3
の式と、引力＝1m3の原子数÷(1.639×1040＋a)の式は同じであることを意味する。(原子と原子の間の距離を1010＋amであるとする場合。)
24．原子と原子の間の距離を電子のラブの公転軌道であるとして計算した、原子と原子の間の引力÷原子と原子の間の距離を1010＋amであるとして計算した、原子と原子の間の引力＝電子のラブが1秒間に作る磁気の光子のエネルギー2÷電子のラブの公転軌道2÷｛電子のラブが1秒間に作る磁気の光子のエネルギー2÷(1010＋a)2｝＝10−2a×(1010＋a)2＝1020、倍です。
25．原子と原子の間の距離を1010＋amであるとする場合、1m3の原子数は、1原子と1原子の間の引力の1.639×1040＋a倍です。原子と原子の間の距離を電子のラブの公転軌道であるとする場合、1m3の原子数は、1原子と1原子の間の引力の1.639×1020＋a倍です。
この理由は、原子と原子の間の距離を電子のラブの公転軌道であるとして計算した原子と原子の間の引力は、原子と原子の間の距離を1010＋amであるとして計算した原子と原子の間の引力の1020倍であるからです。
26．原子と原子の間の距離を電子のラブの公転軌道であるとして計算した場合の1m3の原子数は、原子と原子の間の距離を1010＋amであるとして計算した場合の1m3の原子数と同じです。
原子と原子の間の距離を電子のラブの公転軌道であるとして計算した場合の1m3の原子数÷原子と原子の間の距離を1010＋amであるとして計算した場合の1m3の原子数＝10−30−3a÷(10−30−3a)＝１
27．ビッグバンの以前の後期、電子のラブのエネルギーが8.665Jの場合、1m3の原子数から算出した宇宙の半径は1.027×1014ｍです。しかし、私が2009年9月19日に提出した、特願2009−218192．「請求項16」に記した、ビッグバンの以前の後期の球体の半径は、1.121×104ｍです。ビッグバンの以前の後期、電子のラブのエネルギーが1Jの場合、1m3の原子数から算出した宇宙の半径は1.185×1013ｍです。しかし、私が2009年9月19日に提出した、特願2009−218192．「請求項16」に記した、ビッグバンの以前の後期の球体の半径は、1.261×103ｍです。
2009年9月19日に提出した、特願2009−218192．「請求項16」に記した、ビッグバンの以前の後期の球体の半径は、これからビッグバンを起こす時の半径である。ビッグバンの以前の後期、宇宙の原子は宇宙から集められたものではない。
28．今回求めた、ビッグバンの以前の後期の宇宙の半径は、宇宙から宇宙の原子数を集める場合の半径です。
29．宇宙収縮の場合、宇宙の様子は、表に示した逆のコースに従って宇宙収縮する。
30．宇宙膨張の場合、ビッグバンの以前の様子は、特願2009−218192．「請求項16」に記した通りで、そののちインフレーションがあった。インフレーションの後、宇宙の膨張は、宇宙の時代を電子のラブの公転軌道で表わすと、表に示すコースに従って膨張する。
31．インフレーションを起こした時の膨張の倍率は、電子のラブの公転軌道がいくらになったときインフレーションが終了したのかによる。
32．宇宙の膨張は、1m3の原子数に反比例する。1m3の原子数は1原子が1秒間に作る磁気の光子のエネルギーに比例する。1m3の原子数は1原子と1原子の引力に比例する。よって、宇宙の膨張は1原子が1秒間に作る磁気の光子のエネルギーに反比例する。宇宙の膨張は1原子と1原子の引力に反比例する。
33．宇宙の膨張と1原子と1原子の間の引力の関係式はどのようになっているか。
ｒ＝宇宙の原子数1/3÷1原子と1原子の間の引力1/3×1.134×10−7×10−a/3
34．宇宙の膨張は、宇宙の原子数1/3に比例し、1原子と1原子の間の引力1/3に反比例し、電子のラブの公転軌道の1/3に反比例する。
35．宇宙の膨張と電子のラブの公転軌道の関係式はどのようになっているか。
ｒ＝宇宙の原子数1/3×109＋a×6.20
36．宇宙の膨張は、宇宙の原子数1/3に比例し、電子のラブの公転軌道に比例する。
37．もし、宇宙収縮がおきたとしても、再びビッグバンはおきない。
【図面の簡単な説明】
【０００７】
【図１】宇宙膨張のときの様子。宇宙の時代を電子のラブの公転軌道10amで表す。1秒間にできる磁気の光子のエネルギーと、1m3に存在する原子数の関係式は、1m3の原子数＝1秒間にできる磁気の光子のエネルギー3÷(4.767×10−46J/個)、です。1mの原子数＝1秒間にできる磁気の光子のエネルギー÷(4.767×10−46J/個)1/3＝1秒間にできる磁気の光子のエネルギー÷(7.812×10−16J/個)、1秒間にできる磁気の光子のエネルギーが7.812×10−16Jで、1mに1個の原子を引きつけておくことができる。10amの時代の宇宙の場合、宇宙の半径はいくらか。1mの原子数＝1秒間にできる磁気の光子のエネルギー÷(7.812×10−16J/個)＝7.812×10−26Jm÷10am÷(7.812×10−16J/個)＝10−10−a1m3の原子数＝(10−10−a)3＝10−30−3a体積＝4π/3 r3＝宇宙の原子数÷1m3の原子数＝宇宙の原子数÷(10−10−a)3m3r3=宇宙の原子数÷(10−10−a)3÷4π/3m3ｒ＝(宇宙の原子数÷(10−10−a)3÷4π/3)1/3m=宇宙の原子数1/3÷(10−10−a)÷(4π/3)1/3m=宇宙の原子数1/3×1010＋a÷1.612m＝宇宙の原子数1/3×1010＋a×0.620mr＝宇宙の原子数1/3×1010＋a×0.620m、です。宇宙の原子数が4.554×1084個の場合の宇宙の半径。10−24ｍ時代の宇宙の半径は、1.029×1014ｍです。10−20ｍ時代の宇宙の半径は、1.029×1018ｍです。10−19ｍ時代の宇宙の半径は、1.029 ×1019ｍです。10−18ｍ時代の宇宙の半径は、1.029 ×1020ｍです。10−17ｍ時代の宇宙の半径は、1.029 ×1021ｍです。10−16ｍ時代の宇宙の半径は、1.029 ×1022ｍです。10−15ｍ時代の宇宙の半径は、1.029 ×1023ｍです。10−14ｍ時代の宇宙の半径は、1.029 ×1024ｍです。10−13ｍ時代の宇宙の半径は、1.029 ×1025ｍです。10−12ｍ時代の宇宙の半径は、1.029 ×1026ｍです。10−11ｍ時代の宇宙の半径は、1.029 ×1027ｍです。10−24ｍの時代の宇宙の半径は、1.029×1014ｍです。しかし、2009年9月19日に提出した、特願2009−218192．「請求項16」で得た、宇宙の半径は1.121×104ｍです。このことは、10−24ｍ時代の宇宙の半径が、1.029×1014ｍの場合は、引力により原子が集められときの宇宙の半径です。宇宙収縮のときの宇宙の半径です。・もしインフレーションで、電子のラブの公転が10−20ｍになったとすると、インフレーションで宇宙は、10−20ｍの時代の宇宙の半径÷ビッグバンの以前の後期の宇宙の半径＝1.029×1018ｍ÷(1.121×104ｍ)＝9.179×1013、倍に膨張した。・もし、インフレーションで電子のラブの公転軌道が10−18ｍになったとすると、宇宙は、10−18ｍの時代の宇宙の半径÷ビッグバンの以前の後期の宇宙の半径＝1.029×1020ｍ÷(1.121×104ｍ)＝9.179×1015、倍に膨張した。宇宙膨張のときの様子は、特願2009−218192．「請求項16」に示したように、ビッグバンの以前の電子のラブのエネルギーが、8.665Jの場合、ビッグバンの以前の前期の球体の半径は、8.358×10−4ｍであり、ビッグバンの以前の後期の球体の半径は、1.121×104ｍである。そして、ビッグバンがおき、インフレーションがおきる。インフレーションで、電子のラブの公転軌道が10−20ｍになったとすると、宇宙は、9.179×1013倍に膨張し、宇宙の半径は、1.029 ×1018ｍです。インフレーションで、電子のラブの公転軌道が10−18ｍになったとすると、宇宙は、9.179×1015倍に膨張し、宇宙の半径は、1.029 ×1020ｍです。インフレーションの後、宇宙の半径は、r＝宇宙の原子数1/3×1010＋a×0.620m、となります。
【図２】宇宙収縮のときのようす。宇宙の収縮は、電子のラブと陽子のラブが作る磁気の光子のエネルギーによって、原子が集められます。磁気の光子のエネルギーが7.812×10−16Jで、1mに1個の原子を引きつけておくことができる。10amの時代の宇宙の場合、宇宙の半径は、r＝宇宙の原子数1/3×1010＋a×0.620m、となります。
【発明を実施するための形態】
【０００８】
１．  電子のラブが1秒間に作る磁気の光子のエネルギーを求める式と引力。
電子のラブの公転軌道＝8.665×10−24Jm÷電子のラブのエネルギー
電子のラブが1公転で作る磁気の光子のエネルギー＝1.233×10−41Jm÷電子のラブの公転軌道＝1.233×10−41Jm÷(8.665×10−24Jm÷電子のラブのエネルギー)＝1.423×10−18×電子のラブのエネルギー
電子のラブが1秒間に作る磁気の光子のエネルギー＝電子のラブが1公転で作る磁気の光子のエネルギー×1秒間の公転数＝1.233×10−41Jm÷(8.665×10−24Jm÷電子のラブのエネルギー)×(7.96×107)2＝1.423×10−18×電子のラブのエネルギー×(7.96×107)2＝9.016×10−3×電子のラブのエネルギー＝1.233×10−41Jm÷電子のラブの公転軌道×(7.96×107)2＝7.812×10−26Jm÷電子のラブの公転軌道
引力＝1秒間に作る磁気の光子のエネルギー
素粒子と素粒子の間の引力＝ラブが1秒間に作る磁気の光子のエネルギー2÷ラブの公転軌道2
原子と原子の間の引力＝電子のラブが1秒間に作る磁気の光子のエネルギー2÷電子のラブの公転軌道2
原子と原子の間の引力＝電子のラブが1秒間に作る磁気の光子のエネルギー2÷1原子と1原子の間の距離2
２．  宇宙の時代を電子のラブの公転軌道であらわし、その時代において、電子のラブが1秒間に作る磁気の光子のエネルギーを求める。
・ビッグバンの以前、電子のラブのエネルギーが8.556Jである場合。
1秒間に作る磁気の光子のエネルギー＝9.016×10−3×電子のラブのエネルギー＝9.016×10−3×8.556J=7.812×10−2J
・ビッグバンの以前、電子のラブのエネルギーが1Jである場合。
1秒間に作る磁気の光子のエネルギー＝9.016×10−3×電子のラブのエネルギー＝9.016×10−3×1J=9.016×10−3J
・10−20ｍの時代の宇宙の場合。
1秒間に作る磁気の光子のエネルギー＝7.812×10−26Jm÷電子のラブの公転軌道＝7.812×10−26Jm÷10−20ｍ＝7.812×10−6J
・10−19ｍの時代の宇宙の場合。
1秒間に作る磁気の光子のエネルギー＝7.812×10−26Jm÷電子のラブの公転軌道＝7.812×10−26Jm÷10−19ｍ＝7.812×10−7J
・10−18ｍの時代の宇宙の場合。
1秒間に作る磁気の光子のエネルギー＝7.812×10−26Jm÷電子のラブの公転軌道＝7.812×10−26Jm÷10−18ｍ＝7.812×10−8J
・10−17ｍの時代の宇宙の場合。
1秒間に作る磁気の光子のエネルギー＝7.812×10−26Jm÷電子のラブの公転軌道＝＝7.812×10−26Jm÷10−17ｍ＝7.812×10−9J
・10−16ｍの時代の宇宙の場合。
1秒間に作る磁気の光子のエネルギー＝7.812×10−26Jm÷電子のラブの公転軌道＝7.812×10−26Jm÷10−16ｍ＝7.812×10−10J
・10−15ｍの時代の宇宙の場合。
1秒間に作る磁気の光子のエネルギー＝7.812×10−26Jm÷電子のラブの公転軌道＝7.812×10−26Jm÷10−15ｍ＝7.812×10−11J
・10−14ｍの時代の宇宙の場合。
1秒間に作る磁気の光子のエネルギー＝7.812×10−26Jm÷電子のラブの公転軌道＝7.812×10−26Jm÷10−14ｍ＝7.812×10−12J
・10−13ｍの時代の宇宙の場合。
1秒間に作る磁気の光子のエネルギー＝7.812×10−26Jm÷電子のラブの公転軌道＝7.812×10−26Jm÷10−13ｍ＝7.812×10−13J
・10−12ｍの時代の宇宙の場合。
1秒間に作る磁気の光子のエネルギー＝7.812×10−26Jm÷電子のラブの公転軌道＝7.812×10−26Jm÷10−12ｍ＝7.812×10−14J
・10−11ｍの時代の宇宙の場合。
1秒間に作る磁気の光子のエネルギー＝7.812×10−26Jm÷電子のラブの公転軌道＝7.812×10−26Jm÷10−11ｍ＝7.812×10−15J
・10−10ｍの時代の宇宙の場合。
1秒間に作る磁気の光子のエネルギー＝7.812×10−26Jm÷電子のラブの公転軌道＝7.812×10−26Jm÷10−10ｍ＝7.812×10−16J
３．  1秒間にできる磁気の光子のエネルギーと、1m3に存在する原子数の関係式はどのようであるか。
2007年8月25日に提出した、特願2007−246139、次のように記した。
(10−16ｍの時代の宇宙には、１ｍ3に原子は1018個存在した。10−15ｍの時代の宇宙には、１ｍ3に原子は1015個存在した。10−14ｍの時代の宇宙には、１ｍ3に原子は1012個存在した。
10−16ｍの時代の宇宙は、1秒間に作る磁気の光子のエネルギーは7.812×10−10Jで、１ｍ3に原子は1018個存在した。
10−15ｍの時代の宇宙は、1秒間に作る磁気の光子のエネルギーは7.812×10−11Jで、１ｍ3に原子は1015個存在した。
10−14ｍの時代の宇宙は、1秒間に作る磁気の光子のエネルギーは7.812×10−12Jで、１ｍ3に原子は1012個存在した。)
・1秒間にできる磁気の光子のエネルギーと、1m3に存在する原子数の関係式はどのようであるか。
・10−16ｍの時代の宇宙の場合。
1秒間にできる磁気の光子のエネルギー3÷1m3の原子数＝(7.812×10−10J)3÷1018個＝4.767×10−28J÷1018個＝4.767×10−46J/個
・10−15ｍの時代の宇宙の場合。
1秒間にできる磁気の光子のエネルギー3÷1m3の原子数＝(7.812×10−11J)3÷1015個＝4.767×10−31J÷1015個＝4.767×10−46J/個
・10−14ｍの時代の宇宙の場合。
1秒間にできる磁気の光子のエネルギー3÷1m3の原子数＝(7.812×10−12J)3÷1012個＝4.767×10−34J÷1012個＝4.767×10−46J/個
よって、1秒間にできる磁気の光子のエネルギー3÷1m3の原子数＝4.767×10−46J/個
1m3の原子数＝1秒間にできる磁気の光子のエネルギー3÷(4.767×10−46J/個)
1秒間にできる磁気の光子のエネルギーと、1m3に存在する原子数の関係式は、
1m3の原子数＝1秒間にできる磁気の光子のエネルギー3÷(4.767×10−46J/個)
1秒間にできる磁気の光子のエネルギー3＝1m3の原子数×4.767×10−46J/個、です。
４．  1秒間にできる磁気の光子のエネルギーと、1mに存在する原子数の関係式はどのようであるか。
1m3の原子数＝1秒間にできる磁気の光子のエネルギー3÷(4.767×10−46J/個)、
1mの原子数＝1秒間にできる磁気の光子のエネルギー÷(4.767×10−46J/個)1/3=1秒間にできる磁気の光子のエネルギー÷(476.7×10−48J/個)1/3=1秒間にできる磁気の光子のエネルギー÷(7.812×10−16J/個)
1秒間にできる磁気の光子のエネルギーと、1mに存在する原子数の関係式は、
1mの原子数＝1秒間にできる磁気の光子のエネルギー÷(7.812×10−16J/個)、
1秒間にできる磁気の光子のエネルギー＝1mの原子数×7.812×10−16J/個、です。
このことにより理解できること。
1．1mの原子数＝1秒間にできる磁気の光子のエネルギー÷(7.812×10−16J/個
2．1秒間にできる磁気の光子のエネルギーが7.812×10−16Jで、1mに1個の原子を引きつけておくことができる。
3．地表で、電子のラブが1秒間に作る磁気の光子のエネルギー(7.382×10−16J)と同じくらいのエネルギーで１ｍに1個の原子を引き付けている。
4．10−10ｍの軌道の宇宙では、1mに1個の原子が存在し、1m3に1個の原子が存在する。ダークマターである自転する陽子のラブと電子のラブは1m3に1個存在する。
1mに存在する原子数はいくらか。
・10−20ｍの時代の宇宙の場合。
1mに存在する原子数＝1秒間にできる磁気の光子のエネルギー÷(7.812×10−16J/個)＝7.812×10−6J÷(7.812×10−16J/個)＝1010個
・10−19ｍの時代の宇宙の場合。
1mに存在する原子数＝1秒間にできる磁気の光子のエネルギー÷(7.812×10−16J/個)＝7.812×10−7J÷(7.812×10−16J/個)＝109個
・10−18ｍの時代の宇宙の場合。
1mに存在する原子数＝1秒間にできる磁気の光子のエネルギー÷(7.812×10−16J/個)＝7.812×10−8J÷(7.812×10−16J/個)＝108個
・10−17ｍの時代の宇宙の場合。
1mに存在する原子数＝1秒間にできる磁気の光子のエネルギー÷(7.812×10−16J/個)＝7.812×10−9J÷(7.812×10−16J/個)＝107個
・10−16ｍの時代の宇宙の場合。
1mに存在する原子数＝1秒間にできる磁気の光子のエネルギー÷(7.812×10−16J/個)＝7.812×10−10J÷(7.812×10−16J/個)＝106個
・10−15ｍの時代の宇宙の場合。
1mに存在する原子数＝1秒間にできる磁気の光子のエネルギー÷(7.812×10−16J/個)＝7.812×10−11J÷(7.812×10−16J/個)＝105個
・10−14ｍの時代の宇宙の場合。
1mに存在する原子数＝1秒間にできる磁気の光子のエネルギー÷(7.812×10−16J/個)＝7.812×10−12J÷(7.812×10−16J/個)＝104個
・10−13ｍの時代の宇宙の場合。
1mに存在する原子数＝1秒間にできる磁気の光子のエネルギー÷(7.812×10−16J/個)＝7.812×10−13J÷(7.812×10−16J/個)＝103個
・10−12ｍの時代の宇宙の場合。
1mに存在する原子数＝1秒間にできる磁気の光子のエネルギー÷(7.812×10−16J/個)＝7.812×10−14J÷(7.812×10−16J/個)＝102個
・10−11ｍの時代の宇宙の場合。
1mに存在する原子数＝1秒間にできる磁気の光子のエネルギー÷(7.812×10−16J/個)＝7.812×10−15J÷(7.812×10−16J/個)＝101個
・10−10ｍの時代の宇宙の場合。
1mに存在する原子数＝1秒間にできる磁気の光子のエネルギー÷(7.812×10−16J/個)＝7.812×10−16J÷(7.812×10−16J/個)＝1個
５．  1m3に存在する原子数(素粒子数)から算出して、宇宙の大きさの半径はいくらか。
・ビッグバンの以前、電子のラブのエネルギーが8.665Jの場合。
宇宙全体の原子数は、4.554×1084個です。この場の1m3の素粒子数は1042個です。
4.554×1084個は何m3に存在するか。
4.554×1084個÷1m3の原子数＝4.554×1084個÷1042個＝4.554×1042ｍ3
半径はいくらか。
4π/3r3＝4.554×1042ｍ3
ｒ3=4.554×1042ｍ3÷4π/3＝1.0877×1042ｍ3
r=(1.0877×1042ｍ3)1/3＝1.027×1014ｍ
しかし、ビッグバンの以前の後期の球体の半径は、1.121×104ｍです。(このことに関しては、2009年9月19日に提出した、特願2009−218192．「請求項16」に記した。)
・ビッグバンの以前、電子のラブのエネルギーが１Jの場合。
宇宙全体の原子数は、1.077×1079個です。この場の1m3の素粒子数は1.537×1039個です。
1.077×1079個は何m3に存在するか。
1.077×1079個÷1m3の原子数＝1.077×1079個÷(1.537×1039個)＝7.007×1039ｍ3
半径はいくらか。
4π/3r3＝7.007×1039ｍ3
ｒ3＝7.007×1039ｍ3÷4π/3＝1.674×1039m3
ｒ=(1.674×1039m3)1/3=1.185×1013ｍ
しかし、ビッグバンの以前の後期の球体の半径は、1.261×103ｍです。(このことに関しては、2009年9月19日に提出した、特願2009−218192．「請求項16」に記した。)
○ビッグバンの以前の、電子のラブのエネルギーが1Jである場合。宇宙の原子数を1.077×1079個とする。1.077×1079個の原子は何ｍ3に存在し、宇宙の半径はいくらか。
・10−20mの時代の宇宙の場合。
１ｍ3の原子数は1030個です。
体積＝1.077×1079個÷1030個＝1.077×1049m3
4π/3ｒ3＝1.077×1049ｍ3
ｒ3＝1.077×1049ｍ3÷4π/3＝0.2572×1049ｍ3＝2.572×1048ｍ3
ｒ＝(2.572×1048ｍ3)1/3=1.370×1016ｍ
・10−19mの時代の宇宙の場合。
１ｍ3の原子数は1027個です。
体積＝1.077×1079個÷1027個＝1.077×1052m3
4π/3ｒ3＝1.077×1052ｍ3
ｒ3＝1.077×1052ｍ3÷4π/3＝0.2572×1052ｍ3＝2.572×1051m3
ｒ＝(2.572×1051ｍ3)1/3=1.370×1017ｍ
・10−18mの時代の宇宙の場合。
１ｍ3の原子数は1024個です。
体積＝1.077×1079個÷1024個＝1.077×1055m3
4π/3ｒ3＝1.077×1055ｍ3
ｒ3＝1.077×1055ｍ3÷4π/3＝0.2572×1055ｍ3＝2.572×1054ｍ3
ｒ＝(2.572×1054ｍ3)1/3=1.370×1018ｍ
・これを一般式であらわす。
10amの時代の宇宙の場合。
1mの原子数＝1秒間にできる磁気の光子のエネルギー÷(7.812×10−16J/個)＝7.812×10−26Jm÷10a÷(7.812×10−16J/個)＝10−10−a
1m3の原子数＝(10−10−a)3＝10−30−3a
体積＝4π/3 r3＝宇宙の原子数÷1m3の原子数＝宇宙の原子数÷(10−10−a)3m3
r3=宇宙の原子数÷(10−10−a)3÷4π/3m3
ｒ＝(宇宙の原子数÷(10−10−a)3÷4π/3)1/3m=宇宙の原子数1/3÷(10−10−a)÷(4π/3)1/3m=宇宙の原子数1/3×1010＋a÷1.612m＝宇宙の原子数1/3×1010＋a×0.620m
r＝宇宙の原子数1/3×1010＋a×0.620m、です。
よって、宇宙の原子数が1.077×1079個の場合、
ｒ＝宇宙の原子数1/3×1010＋a×0.620m＝(1.077×1079個)1/3×1010＋a×0.620m＝(10.77×1078)1/3×1010＋a×0.620m＝2.209×1026×1010＋a×0.620m＝×0.620＝1.370×1036＋am
ｒ＝1.370×1036+am、です。
・10−17mの時代の宇宙の場合。
ｒ＝1.370×1019ｍ
・10−16mの時代の宇宙の場合。
ｒ＝1.370×1020ｍ
・10−15mの時代の宇宙の場合。
ｒ＝1.370×1021ｍ
・10−14mの時代の宇宙の場合。
r＝1.370×1022ｍ
・10−13mの時代の宇宙の場合。
r＝1.370×1023ｍ
・10−12mの時代の宇宙の場合。
ｒ＝1.370×1024ｍ
・10−11mの時代の宇宙の場合。
ｒ＝1.370×1025ｍ
・10−10mの時代の宇宙の場合。
ｒ＝1.370×1026ｍ
○ビッグバンの以前の、電子のラブのエネルギーが8.665Jである場合。宇宙の原子数を4.554×1084個とする。4.554×1084個の原子は何ｍ3に存在し、宇宙の半径はいくらか。
・10−20mの時代の宇宙の場合。
１ｍ3の原子数は1030個です。
4.554×1084個÷1030個＝4.554×1054m3
4π/3ｒ3＝4.554×1054ｍ3
ｒ3＝4.554×1054ｍ3÷4π/3＝1.088×1054ｍ3
ｒ＝(1.088×1054ｍ3)1/3=1.029×1018ｍ
・10−19mの時代の宇宙の場合。
１ｍ3の原子数は1027個です。
4.554×1084個÷1027個＝4.554×1057m3
4π/3ｒ3＝4.554×1057ｍ3
ｒ3＝4.554×1057ｍ3÷4π/3＝1.088×1057ｍ3
ｒ＝(1.088×1057ｍ3)1/3=1.029×1019ｍ
一般式は、
宇宙の原子数が4.554×1084個の場合、
ｒ＝宇宙の原子数1/3×1010＋a×0.620m＝(4.554×1084個) 1/3×1010＋a×0.620m＝1.659×1028×1010＋a×0.620m＝1.029×1038+am
ｒ＝1.029×1038+am、です。
・10−18ｍの時代の宇宙の場合。
ｒ＝1.029×1020ｍ
・10−17ｍの時代の宇宙の場合。
ｒ＝1.029×1021ｍ
・10−16ｍの時代の宇宙の場合。
ｒ＝1.029×1022ｍ
・10−15ｍの時代の宇宙の場合。
ｒ＝1.029×1023ｍ
・10−14ｍの時代の宇宙の場合。
ｒ＝1.029×1024ｍ
・10−13ｍの時代の宇宙の場合。
ｒ＝1.029×1025ｍ
・10−12ｍの時代の宇宙の場合。
ｒ＝1.029×1026ｍ
・10−11ｍの時代の宇宙の場合。
ｒ＝1.029×1027ｍ
・10−10ｍの時代の宇宙の場合。
ｒ＝1.029×1028ｍ
・ビッグバンの以前の電子のラブのエネルギーが、αJの場合、宇宙の原子の数は、1.0765×1079×α6個、ですから、
ｒ＝(1.0765×1079×α6個)1/3×1010＋a×0.620m＝(10.765×1078×α6個) 1/3×1010＋a×0.620m＝2.208×1026×α2個×1010＋a×0.620m＝1.369×1036＋a×α2ｍ、です。
このことを表に示す。
表1
2011101540.tif 000003
６．  1原子と1原子の間にできる引力はいくらか。1素粒子(電子のラブ)と1素粒子(電子のラブ)の間にできる引力はいくらか。(原子と原子の間の距離を電子のラブの公転軌道とする場合。)
1原子と1原子の間にできる引力＝1原子が1秒間に作る磁気の光子のエネルギー2÷1原子の大きさ2＝電子のラブが1秒間に作る磁気の光子のエネルギー2÷電子のラブの公転軌道2
1素粒子(電子のラブ)と1素粒子(電子のラブ)の間にできる引力＝電子のラブが1秒間に作る磁気の光子のエネルギー2÷電子のラブの公転軌道2
・ビッグバンの以前、電子のラブのエネルギーが、8.665Jであった場合。
1素粒子(電子のラブ)と1素粒子(電子のラブ)の間にできる引力＝電子のラブが1秒間に作る磁気の光子のエネルギー2÷電子のラブの公転軌道2＝(7.812×10−2J)2÷(10−24ｍ)2=6.103×1045J/m
・ビッグバンの以前、電子のラブのエネルギーが、1Jであった場合。
1素粒子(電子のラブ)と1素粒子(電子のラブ)の間にできる引力＝電子のラブが1秒間に作る磁気の光子のエネルギー2÷電子のラブの公転軌道2＝(9.016×10−3J)2÷(8.665×10−24ｍ)2=1.0826×1042J/m
・10−20ｍの時代の宇宙の場合。
1原子と1原子の間にできる引力＝1原子が1秒間に作る磁気の光子のエネルギー2÷1原子の大きさ2＝(7.812×10−6J)2÷(10−20ｍ)2＝6.103×1029J/m
・10−19ｍの時代の宇宙の場合。
1原子と1原子の間にできる引力＝(7.812×10−7J)2÷(10−19ｍ)2＝6.103×1025J/m
・10−18ｍの時代の宇宙の場合。
1原子と1原子の間にできる引力＝(7.812×10−8J)2÷(10−18ｍ)2＝6.103×1021J/m
・10−17ｍの時代の宇宙の場合。
1原子と1原子の間にできる引力＝(7.812×10−9J)2÷(10−17ｍ)2＝6.103×1017J/m
・10−16ｍの時代の宇宙の場合。
1原子と1原子の間にできる引力＝(7.812×10−10J)2÷(10−16ｍ)2＝6.103×1013J/m
・10−15ｍの時代の宇宙の場合。
1原子と1原子の間にできる引力＝(7.812×10−11J)2÷(10−15ｍ)2＝6.103×109J/m
・10−14ｍの時代の宇宙の場合。
1原子と1原子の間にできる引力＝(7.812×10−12J)2÷(10−14ｍ)2＝6.103×105J/m
・10−13ｍの時代の宇宙の場合。
1原子と1原子の間にできる引力＝(7.812×10−13J)2÷(10−13ｍ)2＝6.103×10J/m
・10−12ｍの時代の宇宙の場合。
1原子と1原子の間にできる引力＝(7.812×10−14J)2÷(10−12ｍ)2＝6.103×10−3J/m
・10−11ｍの時代の宇宙の場合。
1原子と1原子の間にできる引力＝(7.812×10−15J)2÷(10−11ｍ)2＝6.103×10−7J/m
・10−10ｍの時代の宇宙の場合。
1原子と1原子の間にできる引力＝(7.812×10−16J)2÷(10−10ｍ)2＝6.103×10−11J/m
一般式は、
10amの時代の宇宙の場合。
1原子と1原子の間にできる引力＝(7.812×10−26−a)2J÷10a×2m＝61.027×10−52−2a−2aJ/m=6.103×10−51−4aJ/m
このことにより理解できること。
1．1原子と1原子の間にできる引力は、6.103×10−51−4aJ/mです。
2．時代を経るごとに、1原子と1原子の間にできる引力は10−4倍ずつ減少している。
７．  引力と、1m3に存在する原子数の関係式はどのようであるか。(1原子と1原子の距離を電子のラブの公転軌道とする場合。)
2007年8月25日に提出した、特願2007−246139、次のように記した。
(10−16ｍの時代の宇宙には、１ｍ3に原子は1018個存在した。10−15ｍの時代の宇宙には、１ｍ3に原子は1015個存在した。10−14ｍの時代の宇宙には、１ｍ3に原子は1012個存在した。)
・引力と、1m3の原子数の関係式はどのようであるか。
・10−16ｍの時代の宇宙の場合。
引力は、6.103×1013J/mです。
1m3の原子数4÷引力3＝(1018個)4÷(6.103×1013J/m)3＝1072個÷(227.32×1039J/m)＝4.4×1030個/J/m
・10−15ｍの時代の宇宙の場合。
引力は、6.103×109J/mです。
1m3の原子数4÷引力3＝(1015個)4÷(6.103×109J/m)3＝1060個÷(227.32×1027J/m)＝4.4×1030個/J/m
・10−14ｍの時代の宇宙の場合。
引力は、6.103×105J/mです。
1m3の原子数4÷引力3＝(1012個)4÷(6.103×105J/m)3＝1048個÷(227.32×1015J/m)＝4.4×1030個/J/m
・引力と、1m3の原子数の関係式は次のようです。
1m3の原子数4÷引力3＝4.4×1030個/J/m
1m3の原子数4＝4.4×1030個/J/m×引力3
1m3の原子数＝(4.4×1030個/J/m×引力3)1/4
引力3=1m3の原子数4÷(4.4×1030個/J/m)
引力={1m3の原子数4÷(4.4×1030個/J/m)}1/3
・1m3の原子数4＝4.4×1030個/J/m×引力3、1m3の原子数＝(4.4×1030個/J/m×引力3)1/4
の式が成立することを、確かめる。
・10−20ｍの場合。
1m3の原子数4＝4.4×1030個/J/m×引力3
(1030個)4＝4.4×1030個/J/m×(6.103×1029J/m)3＝4.4×1030個×227.32×1087＝10120個
1m3の原子数＝(4.4×1030個/J/m×引力3)1/4
1030個＝｛4.4×1030個/J/m×(6.103×1029J/m)3｝1/4＝(4.4×1030個/J/m×227.32×1087J/m)1/4=1030個
.・10−19ｍの場合。
1m3の原子数4＝4.4×1030個/J/m×引力3
(1027個)4＝4.4×1030個/J/m×(6.103×1025J/m)3＝4.4×1030個/J/m×227.32×1075＝10108個
1m3の原子数＝(4.4×1030個/J/m×引力3)1/4
1027個＝｛4.4×1030個/J/m×(6.103×1025J/m)3｝1/4＝(4.4×1030個/J/m×227.32×1075)1/4=1027個
・10−18mの場合。
(1024個)4＝4.4×1030個/J/m×(6.103×1021J/m)3＝4.4×1030個/J/m×227.32×1063＝1096個
1m3の原子数＝(4.4×1030個/J/m×引力3)1/4
1024個＝｛4.4×1030個/J/m×(6.103×1021J/m)3｝1/4＝(4.4×1030個/J/m×227.32×1063)1/4=1024個
この計算によって、1m3の原子数4＝4.4×1030個/J/m×引力3、1m3の原子数＝(4.4×1030個/J/m×引力3)1/4
の式は成立する。
また、引力3=1m3の原子数4÷(4.4×1030個/J/m)、引力={1m3の原子数4÷(4.4×1030個/J/m)}1/3、の式も成立する。
８．  1m3の原子数は、1原子と1原子の間の引力の何倍か。(原子と原子の間の距離を電子のラブの公転軌道とする場合。)
10amの時代の宇宙の場合。
1原子と1原子の間の引力は、6.103×10−51−4a、です。
1m3の原子数は、
1秒間にできる磁気の光子のエネルギー3÷(4.767×10−46J)＝(7.812×10−26Jm÷公転軌道) 3÷(4.767×10−46J)＝100×10−78＋46÷公転軌道3＝10−30÷公転軌道3＝10−30÷103a=10−30−3a
1m3の原子数は、10−30−3a、です。
・1m3の原子数は、1原子と1原子の間の引力の何倍か。
1m3の原子数÷1原子と1原子の間の引力＝10−30−3a÷(6.103×10−51−4a)＝0.1639×10−30−3a＋51＋4a＝1.639×1020＋a
1m3の原子数＝1原子と1原子の間の引力×1.639×1020＋a
1m3の原子数は、1原子と1原子の間の引力の1.639×1020＋a倍です。
確かめ算。
10−16ｍの時代の宇宙の場合。
1原子と1原子の間の引力は、6.103×1013J/mです。
1m3の原子数は、1.639×1020−16×6.103×1013＝1018(個)
・宇宙の時代を電子のラブの公転軌道で示すと、その時代の1m3の原子数は、1原子と1原子の間の引力の何倍になるか。
10−20mの時代の宇宙の場合。
1m3の原子数＝1原子と1原子の間の引力の1.639×1020＋a倍＝1原子と1原子の間の引力の1.639×1020−20倍＝1原子と1原子の間の引力の1.639倍
10−19mの時代の宇宙の場合。
1m3の原子数＝1原子と1原子の間の引力の1.639×1020−19倍＝1原子と1原子の間の引力の1.639×10倍
10−18mの時代の宇宙の場合。
1m3の原子数＝1原子と1原子の間の引力の1.639×1020−18倍＝1原子と1原子の間の引力の1.639×102倍
10−17mの時代の宇宙の場合。
1m3の原子数＝1原子と1原子の間の引力の1.639×1020−17倍＝1原子と1原子の間の引力の1.639×103倍
10−16mの時代の宇宙の場合。
1m3の原子数＝1原子と1原子の間の引力の1.639×1020−16倍＝1原子と1原子の間の引力の1.639×104倍
10−15mの時代の宇宙の場合。
1m3の原子数＝1原子と1原子の間の引力の1.639×1020−18倍＝1原子と1原子の間の引力の1.639×105倍
10−14mの時代の宇宙の場合。
1m3の原子数＝1原子と1原子の間の引力の1.639×1020−14倍＝1原子と1原子の間の引力の1.639×106倍
10−13mの時代の宇宙の場合。
1m3の原子数＝1原子と1原子の間の引力の1.639×1020−13倍＝1原子と1原子の間の引力の1.639×107倍
10−12mの時代の宇宙の場合。
1m3の原子数＝1原子と1原子の間の引力の1.639×1020−12倍＝1原子と1原子の間の引力の1.639×108倍
10−11mの時代の宇宙の場合。
1m3の原子数＝1原子と1原子の間の引力の1.639×1020−11倍＝1原子と1原子の間の引力の1.639×109倍
10−10mの時代の宇宙の場合。
1m3の原子数＝1原子と1原子の間の引力の1.639×1020−10倍＝1原子と1原子の間の引力の1.639×1010倍
このことによって理解できること。
1．10amの時代の宇宙の場合。1m3の原子数は、1原子と1原子の間の引力の1.639×1020＋a倍です。
2．1m3の原子数は、1原子と1原子の間の引力に比例する。
3．時代を経るごとに、1m3の原子数は、1原子と1原子の間の引力の10倍ずつ増加している。
９．  1m3の原子数4＝4.4×1030個/J/m×引力3。1m3の原子数＝(4.4×1030個/J/m×引力3)1/4、の式と、1m3の原子数＝1原子と1原子の間の引力の1.639×1020＋a倍。は同じことを意味する。(原子と原子の間の距離を電子のラブの公転軌道とする場合。)
「請求項7」で、1m3の原子数4＝4.4×1030個/J/m×引力3。1m3の原子数＝(4.4×1030個/J/m×引力3)1/4、の式が成立することを確かめた。
また、「請求項8」で、1m3の原子数＝1原子と1原子の間の引力の1.639×1020＋a倍であることを確かめた。
よって、
1m3の原子数4＝4.4×1030個/J/m×引力3、
1m3の原子数＝(4.4×1030個/J/m×引力3)1/4
の式と、
1m3の原子数＝1原子と1原子の間の引力の1.639×1020＋a倍＝引力×1.639×1020＋a、
の式は同じことを意味する。
このことにより、
引力3=1m3の原子数4÷(4.4×1030個/J/m)
引力={1m3の原子数4÷(4.4×1030個/J/m)}1/3
の式と
引力＝1m3の原子数÷(1.639×1020＋a)
の式は同じことを意味する。
１０．  1m3の原子数＝1原子と1原子の間の引力×1.639×1020＋a＝6.103×10−51−4aJ/m×1.639×1020＋a、です。このことは何を意味するか。(原子と原子の間の距離を電子のラブの公転軌道とする場合。)
1原子と1原子の間の引力は時代を経るごとに10−4倍になり、1.639×1020＋aの値は時代を経るごとに10倍になるので、1m3の原子数は時代を経るごとに10−3倍になる。
まとめて表に示す。
原子と原子の間の距離を電子のラブの公転軌道であるとして計算した場合。
表2
2011101540.tif 000004
１１．  1個の原子または素粒子が存在する長さはいくらか。原子と原子の間の距離はいくらか。原子(素粒子)が存在する長さは、原子(素粒子)の大きさの何倍か。原子(素粒子)が存在する大きさは、原子(素粒子)の大きさの何倍か。(宇宙の原子はどのように存在しているかを知る。)
10−16mの時代の宇宙の場合。
・1個の原子または素粒子が存在する長さはいくらか。
1m3に1018個の原子(素粒子)が存在するので、1mに106個の原子(素粒子)が存在する。
1個の原子(素粒子)は、1m÷106個＝10−6ｍ、に存在する。
1個の原子(素粒子)が存在する長さは10−6ｍです。
1原子と1原子の間の距離は10−6ｍです。
・原子(素粒子)が存在する長さは、原子(素粒子)の大きさの何倍か。
10−6ｍ÷10−16ｍ＝1010(倍)
原子(素粒子)が存在する長さは、原子(素粒子)の大きさの1010倍です。
・原子(素粒子)が存在する大きさは、原子(素粒子)の大きさの何倍か。
大きさは、(1010)3で、1030倍です。
原子(素粒子)が存在する大きさは、原子(素粒子)の大きさの1030倍です。
10−15mの時代の宇宙の場合。
1m3に1015個の原子(素粒子)が存在するので、1mには、105個の原子(素粒子)が存在する。
1個の原子(素粒子)は、1m÷105個＝10−5ｍ、に存在する。
1個の原子(素粒子)が存在する長さは10−5ｍです。
1原子と1原子の間の距離は10−5ｍです。
原子(素粒子)が存在する長さは、原子(素粒子)の大きさの、10−5ｍ÷10−15ｍ＝1010、倍です。
大きさは、(1010)3で、1030倍です。
10−14mの時代の宇宙の場合。
1m3に1012個の原子(素粒子)が存在するので、1mには、104個の原子(素粒子)が存在する。1個の原子(素粒子)は、1m÷104個＝10−4ｍ、に存在する。
1個の原子(素粒子)が存在する長さは10−4ｍです。
1原子と1原子の距離は10−4ｍです。
1原子(素粒子)が存在する長さは、原子(素粒子)の大きさの、10−4ｍ÷10−14ｍ＝1010、倍です。
大きさは、(1010)3で、1030倍です。
・これを一般式で示す。
10amの時代の宇宙の場合。
1秒間にできるエネルギー＝7.812×10−26Jm÷電子のラブの公転軌道＝7.812×10−26Jm÷10am
1mの原子数＝1秒間にできる磁気の光子のエネルギー÷(7.812×10−16J/個)
1mの原子数＝7.812×10−26Jm÷10am÷(7.812×10−16J/個)＝10−10−a個
1mの原子数は、10−10−a個。
1個の原子(素粒子)は、1m÷(10−10−a個)＝1010＋aｍに存在す
原子(素粒子)が存在する長さは、1010＋amです。
1原子と1原子の間の距離は、1010＋amです。
1原子(素粒子)が存在する長さは、原子(素粒子)の大きさの1010＋a÷10a＝1010倍です。
大きさは、(1010)3＝1030倍です。
・宇宙の時代を電子のラブの公転軌道で表した場合、原子と原子の間の距離はいくらか。
1原子と1原子の距離は、1010＋amです。
・ビッグバンの以前、電子のラブのエネルギーが8.665Jで、公転軌道が10−24mの場合。
1原子と1原子の間の距離=1010＋am＝1010−24ｍ＝10−14ｍ
・ビッグバンの以前、電子のラブのエネルギーが1Jで、公転軌道が8.665×10−24mの場合。
1原子と1原子の間の距離は=8.665×1010＋am＝8.665×1010−24ｍ＝8.665×10−14ｍ
・10−20mの時代の宇宙の場合。
1原子と1原子の間の距離=1010＋am＝1010−20ｍ＝10−10ｍ
・10−19mの時代の宇宙の場合。
1原子と1原子の間の距離=1010＋am＝1010−19ｍ＝10−9ｍ
・10−18mの時代の宇宙の場合。
1原子と1原子の間の距離=1010＋am＝1010−18ｍ＝10−8ｍ
・10−17mの時代の宇宙の場合。
1原子と1原子の間の距離=1010＋am＝1010−17ｍ＝10−7ｍ
・10−16mの時代の宇宙の場合。
1原子と1原子の間の距離=1010＋am＝1010−16ｍ＝10−6ｍ
・10−15mの時代の宇宙の場合。
1原子と1原子の間の距離=1010＋am＝1010−15ｍ＝10−5ｍ
・10−14mの時代の宇宙の場合。
1原子と1原子の間の距離=1010＋am＝1010−14ｍ＝10−4ｍ
・10−13mの時代の宇宙の場合。
1原子と1原子の間の距離=1010＋am＝1010−13ｍ＝10−3ｍ
・10−12mの時代の宇宙の場合。
1原子と1原子の間の距離=1010＋am＝1010−12ｍ＝10−2ｍ
・10−11mの時代の宇宙の場合。
1原子と1原子の間の距離=1010＋am＝1010−11ｍ＝10−1ｍ
・10−10mの時代の宇宙の場合。
1原子と1原子の間の距離=1010＋am＝1010−10ｍ＝1ｍ
１２．  1原子と1原子の間の距離は1010＋amである。この場合、1原子と1原子の間の引力はいくらか。(原子と原子の間の距離を1010＋amであるとする場合。)
1原子と1原子の間の引力＝1電子のラブが1秒間に作る磁気の光子のエネルギー2÷1原子と1原子の間の距離2＝(7.812×10−26Jm÷10am)2÷(1010＋am)2＝61.027×10−52J÷102a÷1020＋2am=6.102×10−51×10−2a−20−2aJ/m=6.1027×10−71−4aJ/m
1原子と1原子の間の引力＝6.103×10−71−4aJ/m
.。宇宙の時代を電子のラブの公転軌道で表した場合、1原子と1原子間の引力はいくらか。
・ビッグバンの以前、電子のラブのエネルギーが8.665Jで、公転軌道が10−24mの場合。
1原子と1原子の間の引力＝6.103×10−71−4aJ/m＝6.103×10−71−(4×−24)＝6.103×1025J/m
・ビッグバンの以前、電子のラブのエネルギーが1Jで、公転軌道が8.665×10−24mの場合。
1原子と1原子の間の引力＝6.103×10−71−4aJ/m＝6.103×10−71−4×(0.9379−24)
J/m＝6.103×10−71−4×−23.0621 J/m =6.103×1021.2484 J/m＝6.103×1021×1.772 J/m＝1.081×1022J/m
・10−20mの時代の宇宙の場合。
1原子と1原子の間の引力＝6.103×10−71−4×−20 J/m＝6.103×109J/m
・10−19mの時代の宇宙の場合。
1原子と1原子の間の引力＝6.103×10−71−4×−19 J/m＝6.103×105J/m
・10−18mの時代の宇宙の場合。
1原子と1原子の間の引力＝6.103×10−71−4×−18J/m＝6.103×10J/m
・10−17mの時代の宇宙の場合。
1原子と1原子の間の引力＝6.103×10−71−4×−17 J/m＝6.103×10−3J/m
・10−16mの時代の宇宙の場合。
1原子と1原子の間の引力＝6.103×10−71−4×−16J/m＝6.103×10−7 J/m
・10−15mの時代の宇宙の場合。
1原子と1原子の間の引力＝6.103×10−71−4×−15 J/m＝6.103×10−11J/m
・10−14mの時代の宇宙の場合。
1原子と1原子の間の引力＝6.103×10−71−4×−14J/m＝6.103×10−15J/m
・10−13mの時代の宇宙の場合。
1原子と1原子の間の引力＝6.103×10−71−4×−13J/m＝6.103×10−19J/m
・10−12mの時代の宇宙の場合。
1原子と1原子の間の引力＝6.103×10−71−4×−12J/m＝6.103×10−23J/m
・10−11mの時代の宇宙の場合。
1原子と1原子の間の引力＝6.103×10−71−4×−11J/m＝6.103×10−27J/m
・10−10mの時代の宇宙の場合。
1原子と1原子の間の引力＝6.103×10−71−4×−10J/m＝6.103×10−31J/m
１３．  引力と、1m3に存在する原子数の関係式はどのようであるか。 (原子と原子の間の距離を1010＋amであるとする場合。)
2007年8月25日に提出した、特願2007−246139、次のように記した。
(10−16ｍの時代の宇宙には、１ｍ3に原子は1018個存在した。10−15ｍの時代の宇宙には、１ｍ3に原子は1015個存在した。10−14ｍの時代の宇宙には、１ｍ3に原子は1012個存在した。)
・引力と、1m3の原子数の関係式はどのようであるか。
・10−16ｍの時代の宇宙の場合。
引力は、6.103×10−7 J/mです。
1m3の原子数4÷引力3＝(1018個)4÷(6.103×10−7J/m)3＝1072個÷(227.32×10−21J/m)＝4.4×1090個/J/m
・10−15ｍの時代の宇宙の場合。
引力は、6.103×10−11J/mです。
1m3の原子数4÷引力3＝(1015個)4÷(6.103×10−11J/m)3＝1060個÷(227.32×10−33J/m)＝4.4×1090個/J/m
・10−14ｍの時代の宇宙の場合。
引力は、6.103×10−15J/mです。
1m3の原子数4÷引力3＝(1012個)4÷(6.103×10−15J/m)3＝1048個÷(227.32×10−45J/m)＝4.4×1090個/J/m
・引力と、1m3の原子数の関係式は次のようです。
1m3の原子数4÷引力3＝4.4×1090個/J/m
1m3の原子数4＝4.4×1090個/J/m×引力3
1m3の原子数＝(4.4×1090個/J/m×引力3)1/4
引力3=1m3の原子数4÷(4.4×1090個/J/m)
引力={1m3の原子数4÷(4.4×1090個/J/m)}1/3
・1m3の原子数4＝4.4×1090個/J/m×引力3、1m3の原子数＝(4.4×1090個/J/m×引力3)1/4
の式が成立することを、確かめる。
・10−20ｍの場合。
1m3の原子数4＝4.4×1090個/J/m×引力3
(1030個)4＝4.4×1090個/J/m×(6.103×109J/m)3＝4.4×1090個/J/m×227.32×1027＝10120個
1m3の原子数＝(4.4×1090個/J/m×引力3)1/4
1030個＝｛4.4×1090個/J/m×(6.103×109J/m)3｝1/4＝(4.4×1090個/J/m×227.32×1027J/m)1/4=1030個
.・10−19ｍの場合。
1m3の原子数4＝4.4×1090個/J/m×引力3
(1027個)4＝4.4×1090個/J/m×(6.103×105J/m)3＝4.4×1090個/J/m×227.32×1015J/m＝10108個
1m3の原子数＝(4.4×1090個/J/m×引力3)1/4
1027個＝｛4.4×1090個/J/m×(6.103×105J/m)3｝1/4＝(4.4×1090個/J/m×227.32×1015)1/4=1027個
・10−18mの場合。
(1024個)4＝4.4×1090個/J/m×(6.103×10J/m)3＝4.4×1090個/J/m×227.32×103J/m＝1096個
1m3の原子数＝(4.4×1030個/J/m×引力3)1/4
1024個＝｛4.4×1090個/J/m×(6.103×10J/m)3｝1/4＝(4.4×1090個/J/m×227.32×103J/m)1/4=1024個
この計算によって、・1m3の原子数4＝4.4×1090個/J/m×引力3、1m3の原子数＝(4.4×1090個/J/m×引力3)1/4
の式は成立する。
また、引力3=1m3の原子数4÷(4.4×1090個/J/m)、引力={1m3の原子数4÷(4.4×1090個/J/m)}1/3、の式も成立する。
１４．  1m3の原子数は、1原子と1原子の間の引力の何倍か。(原子と原子の間の距離を1010＋amであるとする場合)
10aの時代の宇宙の場合。
1原子と1原子の間の引力は、6.103×10−71−4aJ/mです。
1m3の原子数は、10−30−3a、です。
・1m3の原子数は、1原子と1原子の間の引力の何倍か。
1m3の原子数÷1原子と1原子の間の引力＝10−30−3a÷(6.103×10−71−4aJ/m)＝1071−30−3a+4a÷6.103＝1.639×1040＋a(倍)
1m3の原子数は、1原子と1原子の間の引力の1.639×1040＋a倍です。
・宇宙の時代を電子のラブの公転軌道で表した場合、1m3の原子数は、1原子と1原子の間の引力の何倍か。
・ビッグバンの以前、電子のラブのエネルギーが8.665Jで、公転軌道が10−24mの場合。
1m3の原子数＝1原子と1原子の間の引力の1.639×1040＋a倍＝1原子と1原子の間の引力の1.639×1040−24倍＝1原子と1原子の間の引力の1.639×1016倍
・ビッグバンの以前、電子のラブのエネルギーが1Jで、公転軌道が8.665×10−24mの場合。
1m3の原子数＝1原子と1原子の間の引力の1.639×1040×8.665×10−24倍＝1原子と1原子の間の引力の1.187×1017倍
・10−20mの時代の宇宙の場合。
1m3の原子数＝1原子と1原子の間の引力の1.639×1040−20倍＝1原子と1原子の間の引力の1.639×1020倍
・10−19mの時代の宇宙の場合。
1m3の原子数＝1原子と1原子の間の引力の1.639×1040−19倍＝1原子と1原子の間の引力の1.639×1021倍
・10−18mの時代の宇宙の場合。
1m3の原子数＝1原子と1原子の間の引力の1.639×1040−18倍＝1原子と1原子の間の引力の1.639×1022倍
・10−17mの時代の宇宙の場合。
1m3の原子数＝1原子と1原子の間の引力の1.639×1040−17倍＝1原子と1原子の間の引力の1.639×1023倍
・10−16mの時代の宇宙の場合。
1m3の原子数＝1原子と1原子の間の引力の1.639×1040−16倍＝1原子と1原子の間の引力の1.639×1024倍
・10−15mの時代の宇宙の場合。
1m3の原子数＝1原子と1原子の間の引力の1.639×1040−15倍＝1原子と1原子の間の引力の1.639×1025倍
・10−14mの時代の宇宙の場合。
1m3の原子数＝1原子と1原子の間の引力の1.639×1040−14倍＝1原子と1原子の間の引力の1.639×1026倍
・10−13mの時代の宇宙の場合。
1m3の原子数＝1原子と1原子の間の引力の1.639×1040−13倍＝1原子と1原子の間の引力の1.639×1027倍
・10−12mの時代の宇宙の場合。
1m3の原子数＝1原子と1原子の間の引力の1.639×1040−12倍＝1原子と1原子の間の引力の1.639×1028倍
・10−11mの時代の宇宙の場合。
1m3の原子数＝1原子と1原子の間の引力の1.639×1040−11倍＝1原子と1原子の間の引力の1.639×1029倍
・10−18mの時代の宇宙の場合。
1m3の原子数＝1原子と1原子の間の引力の1.639×1040−10倍＝1原子と1原子の間の引力の1.639×1030倍
１５．  1m3の原子数4＝4.4×1090個/J/m×引力3。1m3の原子数＝(4.4×1090個/J/m×引力3)1/4、の式と、1m3の原子数＝1原子と1原子の間の引力の1.639×1040＋a倍、は同じことを意味する。(原子と原子の間の距離を1010＋amとする場合。)
「請求項13」で、1m3の原子数4＝4.4×1090個/J/m×引力3。1m3の原子数＝(4.4×1090個/J/m×引力3)1/4、の式が成立することを確かめた。
また、「請求項14」で、1m3の原子数＝1原子と1原子の間の引力の1.639×1040＋a倍であることを確かめた。
よって、
1m3の原子数4＝4.4×1090個/J/m×引力3、
1m3の原子数＝(4.4×1090個/J/m×引力3)1/4
の式と、
1m3の原子数＝1原子と1原子の間の引力の1.639×1040＋a倍＝引力×1.639×1040＋a、
の式は同じことを意味する。
このことにより、
引力3=1m3の原子数4÷(4.4×1090個/J/m)
引力={1m3の原子数4÷(4.4×1090個/J/m)}1/3
の式と
引力＝1m3の原子数÷(1.639×1040＋a)
の式は同じことを意味する。
１６．  原子と原子の間の距離を電子のラブの公転軌道であるとして計算した、原子と原子の間の引力は、原子と原子の間の距離を1010＋amであるとして計算した、原子と原子の間の引力の何倍か。
原子と原子の間の距離を電子のラブの公転軌道であるとして計算した、原子と原子の間の引力＝電子のラブが1秒間に作る磁気の光子のエネルギー2÷電子のラブの公転軌道2
原子と原子の間の距離を1010＋amであるとして計算した、原子と原子の間の引力＝電子のラブが1秒間に作る磁気の光子のエネルギー2÷原子と原子の間の距離2＝電子のラブが1秒間に作る磁気の光子のエネルギー2÷(1010＋am)2
よって、原子と原子の間の距離を電子のラブの公転軌道であるとして計算した、原子と原子の間の引力÷原子と原子の間の距離を1010＋amであるとして計算した、原子と原子の間の引力＝電子のラブが1秒間に作る磁気の光子のエネルギー2÷電子のラブの公転軌道2÷｛電子のラブが1秒間に作る磁気の光子のエネルギー2÷(1010＋a)2｝＝10−2a×(1010＋a)2＝1020(倍)です。
原子と原子の間の距離を電子のラブの公転軌道であるとして計算した原子と原子の間の引力は、原子と原子の間の距離を1010＋amであるとして計算した原子と原子の間の引力の1020倍です。
１７．  原子と原子の間の距離を1010＋amであるとする場合、1m3の原子数は、1原子と1原子の間の引力の1.639×1040＋a倍です。原子と原子の間の距離を電子のラブの公転軌道であるとする場合、1m3の原子数は、1原子と1原子の間の引力の1.639×1020＋a倍です。この理由はどうしてか。
この理由は、原子と原子の間の距離を電子のラブの公転軌道であるとして計算した原子と原子の間の引力は、原子と原子の間の距離を1010＋amであるとして計算した原子と原子の間の引力の1020倍であるからです。
１８．  原子と原子の間の距離を電子のラブの公転軌道であるとして計算した場合の1m3の原子数は、原子と原子の間の距離を1010＋amであるとして計算した場合の1m3の原子数の何倍か。
原子と原子の間の距離を電子のラブの公転軌道であるとして計算した場合、1m3の原子数＝原子と原子の間の引力×1.639×1020＋a＝6.103×10−51−4aJ/m×1.639×1020＋a＝10−30−3a、です。原子と原子の間の距離を1010＋amであるとして計算した場合、1m3の原子数は、原子と原子の間の引力×1.639×1040＋a＝6.103×10−71−4aJ/m×1.639×1040＋a＝10−30−3aです。
よって、原子と原子の間の距離を電子のラブの公転軌道であるとして計算した場合の1m3の原子数÷原子と原子の間の距離を1010＋amであるとして計算した場合の1m3の原子数＝10−30−3a÷(10−30−3a)＝１
原子と原子の間の距離を電子のラブの公転軌道であるとして計算した場合の1m3の原子数は、原子と原子の間の距離を1010＋amであるとして計算した場合の1m3の原子数と同じです。
このことを表に示す。
原子と原子の間の距離を1010＋amであるとして計算した場合。
表3
2011101540.tif 000005

１９．  ビッグバンの以前の後期、電子のラブのエネルギーが8.665Jの場合、1m3の原子数から算出した宇宙の半径は1.027×1014ｍです。しかし、私が2009年9月19日に提出した、特願2009−218192．「請求項16」に記した、ビッグバンの以前の後期の球体の半径は、1.121×104ｍです。ビッグバンの以前の後期、電子のラブのエネルギーが1Jの場合、1m3の原子数から算出した宇宙の半径は1.185×1013ｍです。しかし、私が2009年9月19日に提出した、特願2009−218192．「請求項16」に記した、ビッグバンの以前の後期の球体の半径は、1.261×103ｍです。このことによって何が理解できるか。宇宙収縮はどのように行われるか。
ビッグバンの以前の後期、宇宙の原子は宇宙から集められたものではない。
もし、宇宙の原子は宇宙から集められたものであるならば、電子のラブのエネルギーが8.665Jの場合、1m3の原子数から算出した宇宙の半径は1.027×1014ｍです。
そして、もし、宇宙の原子は宇宙から集められたものであるならば、電子のラブのエネルギーが1Jの場合、1m3の原子数から算出した宇宙の半径は1.185×1013ｍです。(宇宙の原子数が1.077×1079個である場合)
もし、宇宙の原子数が4.554×1084個であるとしたら、電子のラブのエネルギーが1Jの場では、電子のラブの公転軌道は、8.665×10−24Jm÷１J =8.665×10−24ｍですから、1m3の原子数は、10−30m÷公転軌道3個、ですから、
1m3の原子数＝10−30m÷公転軌道3個＝10−30m÷(8.665×10−24ｍ)3個＝10−30m÷(6.506×10−70)個＝1.537×1039個、です。
このときの宇宙の体積はいくらか。
宇宙の体積＝宇宙の原子数÷1m3の原子数＝4.554×1084個÷(1.537×1039個)＝2.963×1045(m3)
このときの宇宙の半径はいくらか。
4π/3 r3＝2.963×1045m3
ｒ3＝2.963×1045m3÷4π/3＝0.708×1045m3
r＝(0.708×1045m3)1/3=0.891×1015ｍ
即ち、インフレーションの逆で、宇宙の原子が集められたものであるならば、宇宙の原子数が4.554×1084個であるとしたら、電子のラブのエネルギーが１Jであり、公転軌道が8.665×10−24ｍであるとき、宇宙の半径は、0.891×1015ｍです。
そして、電子のラブのエネルギーが8.665Jであり、公転軌道が10−24ｍであるとき、宇宙の半径は、1.027×1014ｍです。
このように、宇宙収縮の場合、宇宙の様子は、表に示した逆のコースに従って宇宙収縮する。
２０．  宇宙収縮に必要な条件はなにか。
宇宙収縮に必要な条件は、電子のラブが1秒間に作る磁気の光子のエネルギーが次第に大きくなることです。
宇宙収縮に必要な条件は、原子と原子の間の引力が次第に大きくなることです。
宇宙収縮に必要な条件は、電子のラブのエネルギーが次第に大きくなり軌道が小さくなることです。
宇宙収縮に必要な条件は、陽子のラブのエネルギーが次第に大きくなり軌道が小さくなることです。
２１．  宇宙収縮は可能であるか。
電子のラブのエネルギーが減少したら、何かエネルギーをプラスしなければ、エネルギーは大きくならない。電子のラブのエネルギーが次第に大きくなり続けるためには、エネルギーをプラスし続けなければならない。
電子のラブのエネルギーが減少した場では、プラスするエネルギーも存在しない。
よって、宇宙収縮は不可能である。
２２．  インフレーションで宇宙の大きさは何倍になったか。
ビッグバンの以前の後期、電子のラブのエネルギーが8.665Jの場合、宇宙の原子数は4.554×1084個で、球体の半径は、1.121×104ｍです。
ビッグバンの以前の後期、電子のラブのエネルギーが1Jの場合、宇宙の原子数は1.077×1079個で、球体の半径は、1.261×103ｍです。(2009年9月19日に提出した、特願2009−218192．「請求項16」)
・インフレーションで電子のラブの公転軌道が10−20ｍになったとすると、宇宙は何倍に膨張したか。
10−20ｍの時代の宇宙の半径は、宇宙の原子数が4.554×1084個の場合、1.029×1018ｍです。
10−20ｍの時代の宇宙の半径は、宇宙の原子数が1.077×1079個の場合、1.370×1016ｍです。
・宇宙の原子数が4.554×1084個の場合、インフレーションで電子のラブの公転軌道が10−20ｍになったとすると宇宙は何倍に膨張したか。
10−20ｍの時代の宇宙の半径÷ビッグバンの以前の後期の宇宙の半径＝1.029×1018ｍ÷(1.121×104ｍ)＝9.179×1013(倍)
9.179×1013倍に膨張した。
・宇宙の原子数が1.077×1079個の場合、インフレーションで電子のラブの公転軌道が10−20ｍになったとすると宇宙は何倍に膨張したか。
10−20ｍの時代の宇宙の半径÷ビッグバンの以前の後期の宇宙の半径＝1.370×1016ｍ÷(1.261×103ｍ)＝1.086×1013(倍)
1.086×1013倍に膨張した。
・インフレーションで電子のラブの公転軌道が10−18ｍになったとすると、宇宙は何倍に膨張したか。
10−18ｍの時代の宇宙の半径は、宇宙の原子数が4.554×1084個の場合、1.029×1020ｍです。
10−18ｍの時代の宇宙の半径は、宇宙の原子数が1.077×1079個の場合、1.370×1018ｍです。
・宇宙の原子数が4.554×1084個の場合、インフレーションで電子のラブの公転軌道が10−18ｍになったとすると宇宙は何倍に膨張したか。
10−18ｍの時代の宇宙の半径÷ビッグバンの以前の後期の宇宙の半径＝1.029×1020ｍ÷(1.121×104ｍ)＝9.179×1015(倍)
9.179×1015倍に膨張した。
・宇宙の原子数が1.077×1079個の場合、インフレーションで電子のラブの公転軌道が10−18ｍになったとすると宇宙は何倍に膨張したか。
10−18ｍの時代の宇宙の半径÷ビッグバンの以前の後期の宇宙の半径＝1.370×1018ｍ÷(1.261×103ｍ)＝1.086×1015(倍)
1.086×1015倍に膨張した。
２３．  宇宙の膨張と1原子と1原子の間の引力の関係式はどのようになっているか。
宇宙の体積＝宇宙の原子数÷1m3の原子数
4π/3 r3=宇宙の原子数÷1m3の原子数
r3=宇宙の原子数÷1m3の原子数÷4π/3
ｒ＝(宇宙の原子数÷1m3の原子数÷4π/3)1/3
この式に、1m3の原子数＝1原子と1原子の間の引力×1.639×1020＋aを代入する。
ｒ＝｛宇宙の原子数÷(1原子と1原子の間の引力×1.639×1020＋a)÷4π/3)｝1/3
＝(宇宙の原子数÷1原子と1原子の間の引力×0.1457×10−20−a) 1/3
＝宇宙の原子数1/3÷1原子と1原子の間の引力1/3×(1.457×10−21−a)1/3
＝宇宙の原子数1/3÷1原子と1原子の間の引力1/3×1.134×10−7×10−a/3
このことによって理解できること。
1．ｒ＝宇宙の原子数1/3÷1原子と1原子の間の引力1/3×1.134×10−7×10−a/3
2．宇宙の膨張は、宇宙の原子数1/3に比例し、1原子と1原子の間の引力1/3に反比例し、電子のラブの公転軌道1/3に反比例する。
２４．  宇宙の膨張と電子のラブの公転軌道の関係式はどのようになっているか。
宇宙の体積＝宇宙の原子数÷1m3の原子数
4π/3 r3=宇宙の原子数÷1m3の原子数
r3=宇宙の原子数÷1m3の原子数÷4π/3
ｒ＝(宇宙の原子数÷1m3の原子数÷4π/3)1/3
この式に、1m3の原子数＝10−30÷電子のラブの公転軌道3を代入する。
ｒ＝｛宇宙の原子数÷(10−30÷電子のラブの公転軌道3) ÷4π/3｝1/3
=(宇宙の原子数×1030×10a×3÷４π/3)1/3
=宇宙の原子数1/3×1010×10a÷4.1871/3=宇宙の原子数1/3×1010×10a÷1.612＝宇宙の原子数1/3×1010×10a×0.620＝宇宙の原子数1/3×109＋a×6.20
このことによって理解できること。
1．ｒ＝宇宙の原子数1/3×109＋a×6.20
2．宇宙の膨張は、宇宙の原子数1/3に比例し、電子のラブの公転軌道に比例する。
２５．  もし、宇宙収縮がおきたと仮定して、再びビッグバンはおきるのか。
宇宙の原子数が、4.554×1084個の場合。
宇宙収縮がおきたとして、電子のラブの公転軌道が10−24ｍになったとします。このときの半径は、1.027×1014ｍです。この半径ではビッグバンはおきません。ビッグバンが起きる半径は、少なくとも電子のラブと陽子のラブが公転しているとき、1.121×104ｍにまで収縮する必要があります。
【産業上の利用可能性】
【０００９】
宇宙産業に役立つ。
【符号の説明】
【００１０】
１  ビッグバンの以前の前期の球体の半径は8.358×10−4ｍ
２  ビッグバンの以前の後期の球体の大きさは1.121×104ｍ
３  もし、インフレーションで、電子のラブの公転軌道が10−20ｍになったとすると、宇宙は、9.179×1013倍に膨張し、宇宙の半径は、1.029 ×1018ｍです。
４  もし、インフレーションで、電子のラブの公転軌道が10−18ｍになったとすると、宇宙は、9.179×1015倍に膨張し、宇宙の半径は、1.029 ×1020ｍです。
５  10−20ｍの時代の半径は1.029 ×1018ｍ
６  10−19ｍの時代の半径は1.029 ×1019ｍ
７  10−18ｍの時代の半径は1.029 ×1020ｍ
８  10−17ｍの時代の半径は1.029 ×1021ｍ
９  10−16ｍの時代の半径は1.029 ×1022ｍ
１０  10−15ｍの時代の半径は1.029 ×1023ｍ
１１  10−14ｍの時代の半径は1.029 ×1024ｍ
１２  10−13ｍの時代の半径は1.029 ×1025ｍ
１３  10−12ｍの時代の半径は1.029 ×1026ｍ
１４  10−11ｍの時代の半径は1.029 ×1027ｍ  
１５  10−24ｍの時代は1.029 ×1014ｍ
【図１】
2011101540.tif 000009
【図２】
2011101540.tif 000010